(57)【要約】【課題】種々の画面を好適に表示可能にする技術を提供する。【解決手段】本発明の電子機器は、外部機器と接続する接続手段と、前記外部機器との接続モードを、第１階調分解能以下の階調分解能を有する画像を出力する第１接続モードと、前記第１階調分解能よりも高い階調分解能を有する画像を出力する第２接続モードとを含む複数の接続モードの何れかに設定する設定手段と、前記第２接続モードでの接続がされている場合に、撮像手段で撮像された撮像画像を含む第１画面から、撮像画像を含まない第２画面に切り替える指示があると、設定されている接続モードを前記第２接続モードから前記第１接続モードに切り替えて前記第２画面を前記接続手段から出力するように制御する制御手段と、を有することを特徴とする。【選択図】図６
2019118058.tif 000002
【特許請求の範囲】
【請求項１】
外部機器と接続する接続手段と、
前記外部機器との接続モードを、第１階調分解能以下の階調分解能を有する画像を出力する第１接続モードと、前記第１階調分解能よりも高い階調分解能を有する画像を出力する第２接続モードとを含む複数の接続モードの何れかに設定する設定手段と、
前記第２接続モードでの接続がされている場合に、撮像手段で撮像された撮像画像を含む第１画面から、撮像画像を含まない第２画面に切り替える指示があると、設定されている接続モードを前記第２接続モードから前記第１接続モードに切り替えて前記第２画面を前記接続手段から出力するように制御する制御手段と、
を有することを特徴とする電子機器。
【請求項２】
前記制御手段は、設定されている接続モードが前記第２接続モードから前記第１接続モードに切り替えられて出力された前記第２画面から前記第１画面に切り替える指示があると、設定されている接続モードを前記第１接続モードから前記第２接続モードに切り替えて前記第１画面を前記接続手段から出力するように制御する
ことを特徴とする請求項１に記載の電子機器。
【請求項３】
前記第２画面は、複数のメニュー項目を含むメニュー画面であり、
前記制御手段は、設定されている接続モードが前記第２接続モードから前記第１接続モードに切り替えられて出力された前記第２画面における特定のメニュー項目を選択する指示があると、設定されている接続モードを前記第１接続モードから変更することなく、撮像画像を含む、前記特定のメニュー項目に関する画面を前記接続手段から出力するように制御する
ことを特徴とする請求項１または２に記載の電子機器。
【請求項４】
前記第１階調分解能を有する特定種別の画像を、階調分解能を前記第１階調分解能よりも高い第２階調分解能に変換するとともに階調特性を変換する処理を施した変換画像に変換する変換手段、をさらに有し、
前記第２接続モードでの接続がされている場合には、前記制御手段は、前記特定種別の画像を含む前記第１画面が前記接続手段から出力される際に、前記特定種別の画像を前記変換手段で変換して出力するように制御する
ことを特徴とする請求項１〜３のいずれか１項に記載の電子機器。
【請求項５】
前記特定種別の画像はＪＰＥＧ画像である
ことを特徴とする請求項４に記載の電子機器。
【請求項６】
前記第２階調分解能は、１０ｂｉｔまたは１２ｂｉｔの階調分解能である
ことを特徴とする請求項４または５に記載の電子機器。
【請求項７】
前記第１階調分解能は８ｂｉｔの階調分解能である
ことを特徴とする請求項１〜６のいずれか１項に記載の電子機器。
【請求項８】
前記制御手段は、設定されている接続モードが前記第２接続モードから前記第１接続モードに切り替えられる際に、設定されている接続モードが切り替わる旨を示すアイテムを含む画面を前記接続手段から出力するように制御する
ことを特徴とする請求項１〜７のいずれか１項に記載の電子機器。
【請求項９】
外部機器と接続する接続手段と、
前記外部機器との接続モードを、所定の階調分解能以下の階調分解能を有する画像を出
力する第１接続モードと、前記所定の階調分解能よりも高い階調分解能を有する画像を出力する第２接続モードとを含む複数の接続モードの何れかに設定する設定手段と、
前記第２接続モードでの接続がされている場合に、再生画像を含む第１画面から、撮影を行うための第３画面に切り替える指示があると、設定されている接続モードを前記第２接続モードから前記第１接続モードに切り替えて前記第３画面を前記接続手段から出力するように制御する制御手段と、
を有することを特徴とする電子機器。
【請求項１０】
前記第３画面は、撮像手段で撮像されたライブビュー画像を含む画面である
ことを特徴とする請求項９に記載の電子機器。
【請求項１１】
前記第３画面は、撮像手段での撮像に関する撮影設定情報が表示される画面である
ことを特徴とする請求項９または１０に記載の電子機器。
【請求項１２】
前記制御手段は、設定されている接続モードが前記第２接続モードから前記第１接続モードに切り替えられて前記第３画面が前記接続手段から出力されている状態で撮影指示があると、撮影を行い、当該撮影によって得られた撮像画像の確認画面である、再生画像を含む第４画面に自動的に切り替える際に、前記第１接続モードを継続するように制御することを特徴とする請求項９〜１１のいずれか１項に記載の電子機器。
【請求項１３】
前記第４画面は、直前の撮影によって得られた撮像画像の確認画面である
ことを特徴とする請求項１２に記載の電子機器。
【請求項１４】
前記第４画面はクイックレビュー画面である
ことを特徴とする請求項１３に記載の電子機器。
【請求項１５】
前記制御手段は、設定されている接続モードが前記第２接続モードから前記第１接続モードに切り替えられている状態で前記第１画面に切り替えるユーザー操作があると、前記第１画面に切り替える際に、設定されている接続モードを前記第２接続モードに戻すように制御する
ことを特徴とする請求項９〜１４のいずれか１項に記載の電子機器。
【請求項１６】
前記第１画面は再生モードでの再生画面であり、
前記第３画面は撮影モードでの撮影待機画面である
ことを特徴とする請求項９〜１５のいずれか１項に記載の電子機器。
【請求項１７】
外部機器と接続する接続ステップと、
前記外部機器との接続モードを、第１階調分解能以下の階調分解能を有する画像を出力する第１接続モードと、前記第１階調分解能よりも高い階調分解能を有する画像を出力する第２接続モードとを含む複数の接続モードの何れかに設定する設定ステップと、
前記第２接続モードでの接続がされている場合に、撮像手段で撮像された撮像画像を含む第１画面から、撮像画像を含まない第２画面に切り替える指示があると、設定されている接続モードを前記第２接続モードから前記第１接続モードに切り替えて前記第２画面を前記外部機器に出力するように制御する制御ステップと、
を有することを特徴とする電子機器の制御方法。
【請求項１８】
外部機器と接続する接続ステップと、
前記外部機器との接続モードを、所定の階調分解能以下の階調分解能を有する画像を出力する第１接続モードと、前記所定の階調分解能よりも高い階調分解能を有する画像を出力する第２接続モードとを含む複数の接続モードの何れかに設定する設定ステップと、
前記第２接続モードでの接続がされている場合に、再生画像を含む第１画面から、撮影を行うための第３画面に切り替える指示があると、設定されている接続モードを前記第２接続モードから前記第１接続モードに切り替えて前記第３画面を前記外部機器に出力するように制御する制御ステップと、
を有することを特徴とする電子機器の制御方法。
【請求項１９】
コンピュータを、請求項１〜１６のいずれか１項に記載の電子機器の各手段として機能させるためのプログラム。
【請求項２０】
コンピュータを、請求項１〜１６のいずれか１項に記載の電子機器の各手段として機能させるためのプログラムを格納したコンピュータが読み取り可能な記録媒体。
【発明の詳細な説明】
【技術分野】
【０００１】
本発明は、ＨＤＲ表示が可能な外部機器に対しＨＤＲ映像出力を行う電子機器に関する。ＨＤＲとは、Ｈｉｇｈ  Ｄｙｎａｍｉｃ  Ｒａｎｇｅ（ハイダイナミックレンジ）のことであり、ＳＤＲ（スタンダードダイナミックレンジ）よりも広いダイナミックレンジのことである。
【背景技術】
【０００２】
表示装置に表示される画面には、画像情報を示すグラフィック（ＯＳＤ）を画像に重ねた画面、メニュー設定のためのグラフィックのみを含むメニュー画面、等が存在する。特許文献１には、ＨＤＲ画像にＯＳＤを重ねた表示に関する技術が開示されている。
【先行技術文献】
【特許文献】
【０００３】
【特許文献１】特開２０１０−２６８３３２号公報
【発明の概要】
【発明が解決しようとする課題】
【０００４】
しかしながら、ＨＤＲ表示では白色が非常に高い輝度で表示されることがある。そして、メニュー画面などの自然画でない画面では、文字、アイコン、背景、等の色として明るい白色が使用されることが多い。そのため、自然画でない画面をＨＤＲ表示すると、当該画面の白色などがギラつき、ユーザーが意図せぬ眩しさを感じてしまうことがある。
【０００５】
本発明は、種々の画面を好適に表示可能にする技術を提供することを目的とする。
【課題を解決するための手段】
【０００６】
本発明の電子機器は、外部機器と接続する接続手段と、前記外部機器との接続モードを、第１階調分解能以下の階調分解能を有する画像を出力する第１接続モードと、前記第１階調分解能よりも高い階調分解能を有する画像を出力する第２接続モードとを含む複数の接続モードの何れかに設定する設定手段と、前記第２接続モードでの接続がされている場合に、撮像手段で撮像された撮像画像を含む第１画面から、撮像画像を含まない第２画面に切り替える指示があると、設定されている接続モードを前記第２接続モードから前記第１接続モードに切り替えて前記第２画面を前記接続手段から出力するように制御する制御手段と、を有することを特徴とする。
【発明の効果】
【０００７】
本発明によれば、種々の画面が好適に表示可能となる。
【図面の簡単な説明】
【０００８】
【図１】本実施形態に係るデジタルカメラの外観図である。
【図２】本実施形態に係るデジタルカメラの構成例を示すブロック図である。
【図３】本実施形態に係るデジタルカメラと外部機器との接続を表す図である。
【図４】本実施形態に係るデジタルカメラのフローチャートである。
【図５】本実施形態に係るデジタルカメラのフローチャートである。
【図６】本実施形態に係るデジタルカメラのフローチャートである。
【図７】本実施形態に係るデジタルカメラのフローチャートである。
【図８】本実施形態に係るデジタルカメラのフローチャートである。
【図９】本実施形態に係るデジタルカメラのフローチャートである。
【図１０】本実施形態に係るデジタルカメラ／外部機器の画面例である。
【図１１】本実施形態に係るデジタルカメラ／外部機器の画面例である。
【図１２】本実施形態に係るデジタルカメラ／外部機器の画面例である。
【図１３】本実施形態に係るデジタルカメラ／外部機器の画面例である。
【図１４】本実施形態に係るデジタルカメラのフローチャートである。
【図１５】本実施形態に係るデジタルカメラ／外部機器の画面例である。
【図１６】本実施形態に係るデジタルカメラのフローチャートである。
【図１７】本実施形態に係るデジタルカメラのフローチャートである。
【図１８】本実施形態に係るデジタルカメラ／外部機器の画面例である。
【発明を実施するための形態】
【０００９】
＜構成＞
以下、図面を参照して本発明の好適な実施形態を説明する。図１（Ａ），１（Ｂ）に、本発明を適用可能な装置の一例としてのデジタルカメラ１００の外観図を示す。図１（Ａ）はデジタルカメラ１００の前面斜視図であり、図１（Ｂ）はデジタルカメラ１００の背面斜視図である。
【００１０】
表示部２８は、デジタルカメラ１００の背面に設けられた表示部であり、画像や各種情報を表示する。ファインダー外表示部４３は、デジタルカメラ１００の上面に設けられた表示部であり、シャッター速度や絞りをはじめとするデジタルカメラ１００の様々な設定値を表示する。端子カバー４０は、デジタルカメラ１００を外部機器に接続する接続ケーブル等のコネクタを保護するカバーである。コネクタには、ＵＳＢケーブルの接続端子（不図示）と、ＨＤＭＩ（登録商標）出力端子である出力Ｉ／Ｆ９１（後述）が含まれる。クイックリターンミラー１２は、システム制御部５０（後述）から指示されて、不図示のアクチュエータによりアップダウンされる。通信端子１０は、デジタルカメラ１００がレンズユニット１５０（後述；着脱可能）側と通信を行うための通信端子である。接眼ファインダー１６は、フォーカシングスクリーン１３（後述）を観察することで、レンズユニット１５０を通して得た被写体の光学像の焦点や構図の確認を行うための覗き込み型のファインダーである。蓋２０２は、記録媒体２００（後述）を格納するスロットの蓋である。グリップ部９０は、ユーザーがデジタルカメラ１００を構えた際に右手で握りやすい形状とした保持部である。
【００１１】
また、デジタルカメラ１００は、モード切替スイッチ６０、シャッターボタン６１、メイン電子ダイヤル７１、電源スイッチ７２、サブ電子ダイヤル７３、４方向キー７４、ＳＥＴボタン７５、及び、ＬＶボタン７６を有する。デジタルカメラは００は、拡大ボタン７７、縮小ボタン７８、再生ボタン７９、タッチパネル７０ａ、ＡＦ（オートフォーカス）−ＯＮボタン７０ｂ、クイック設定ボタン７０ｃ（Ｑボタン７０ｃ）、及び、アクティブ枠切替ボタン７０ｄも有する。デジタルカメラ１００は、メニューボタン７０ｅ、ファンクションボタン７０ｆ、及び、インフォボタン７０ｇも有する。デジタルカメラ１００は、他の操作部材を有していてもよい。各種操作部材については後述する。
【００１２】
図２は、デジタルカメラ１００の構成例を示すブロック図である。
【００１３】
レンズユニット１５０は、交換可能な撮影レンズを搭載するレンズユニットである。レンズ１０３は通常、複数枚のレンズから構成されるが、図２では簡略して一枚のレンズのみを示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、これら通信端子６，１０を介してシステム制御部５０と通信する。そして、レンズユニット１５０は、内部のレンズシステム制御回路４によって絞り駆動回路２を介して絞り１の制御を行う。ま
た、レンズユニット１５０は、レンズシステム制御回路４によってＡＦ駆動回路３を介してレンズ１０３の位置を変位させることで焦点を合わせる。
【００１４】
ＡＥ（自動露出）センサー１７は、レンズユニット１５０を通した被写体（被写体光）の輝度を測光する。
【００１５】
焦点検出部１１は、システム制御部５０にデフォーカス量情報を出力する。システム制御部５０は、デフォーカス量情報に基づいてレンズユニット１５０を制御し、位相差ＡＦを行う。
【００１６】
クイックリターンミラー１２（ミラー１２）は、露光、ライブビュー撮影、動画撮影、等の際にシステム制御部５０から指示されて、不図示のアクチュエータによりアップダウンされる。ミラー１２は、レンズ１０３から入射した光束をファインダー１６側と撮像部２２側とに切り替えるためのミラーである。ミラー１２は、通常時には、ファインダー１６へと光束を導く（反射させる）ように配されるが（ミラーダウン）、撮影やライブビュー表示が行われる場合には、撮像部２２へと光束を導くように上方に跳ね上がり光束中から待避する（ミラーアップ）。また、ミラー１２は、その中央部が光の一部を透過できるようにハーフミラーとなっており、光束の一部を、焦点検出を行うための焦点検出部１１に入射するように透過させる。
【００１７】
撮影者は、ペンタプリズム１４とファインダー１６を介して、フォーカシングスクリーン１３を観察することで、レンズユニット１５０を通して得た被写体の光学像の焦点や構図の確認が可能となる。
【００１８】
シャッター１０１は、システム制御部５０の制御で撮像部２２の露光時間を自由に制御できるフォーカルプレーンシャッターである。
【００１９】
撮像部２２は、光学像を電気信号に変換するＣＣＤやＣＭＯＳ素子などで構成される撮像素子である。Ａ／Ｄ変換器２３は、撮像部２２から出力されるアナログ信号をデジタル信号に変換する。
【００２０】
画像処理部２４は、Ａ／Ｄ変換器２３からのデータ、又は、メモリ制御部１５からのデータに対し所定の処理（画素補間、縮小といったリサイズ処理、色変換処理、等）を行う。また、画像処理部２４では、撮像した画像データを用いて所定の演算処理が行われ、得られた演算結果に基づいてシステム制御部５０が露光制御や測距制御を行う。これにより、ＴＴＬ（スルー・ザ・レンズ）方式のＡＦ処理、ＡＥ処理、ＥＦ（フラッシュプリ発光）処理、等が行われる。画像処理部２４では更に、撮像した画像データを用いて所定の演算処理が行われ、得られた演算結果に基づいてＴＴＬ方式のＡＷＢ（オートホワイトバランス）処理も行われる。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８、または、外部モニターなどの外部機器３００に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変
換器１９を介して表示部２８により表示される。表示部２８は、ＬＣＤ等の表示器上で、Ｄ／Ａ変換器１９からのアナログ信号に応じた表示を行う。Ａ／Ｄ変換器２３によってＡ／Ｄ変換されメモリ３２に蓄積されたデジタル信号をＤ／Ａ変換器１９においてＤ／Ａ変換し、表示部２８に逐次転送して表示することで、電子ビューファインダーの機能が実現でき、スルー画像表示（ライブビュー表示）が行える。
【００２３】
ファインダー内表示部４１には、ファインダー内表示部駆動回路４２を介して、現在オートフォーカスが行われている測距点を示す枠（ＡＦ枠）や、カメラの設定状態を表すアイコンなどが表示される。
【００２４】
ファインダー外表示部４３には、ファインダー外表示部駆動回路４４を介して、シャッター速度や絞りをはじめとするデジタルカメラ１００の様々な設定値が表示される。
【００２５】
出力Ｉ／Ｆ９１は、メモリ３２に格納されている画像表示用のデータをデジタル信号のまま外部機器３００に供給する。こうして、メモリ３２に書き込まれた表示用の画像データは外部機器３００に表示される。
【００２６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２７】
システム制御部５０は、少なくとも１つのプロセッサーを有する制御部であり、デジタルカメラ１００全体を制御する。システム制御部５０は、前述した不揮発性メモリ５６に記録されたプログラムを実行することで、後述する本実施形態の各処理を実現する。システムメモリ５２は例えばＲＡＭであり、システム制御部５０は、システム制御部５０の動作用の定数、変数、不揮発性メモリ５６から読み出したプログラム等をシステムメモリ５２に展開する。また、システム制御部５０は、メモリ３２、Ｄ／Ａ変換器１９、出力Ｉ／Ｆ９１、表示部２８等を制御することにより表示制御も行う。
【００２８】
システムタイマー５３は、各種制御に用いる時間や、内蔵された時計の時間を計測する計時部である。
【００２９】
電源制御部８０は、電池検出回路、ＤＣ−ＤＣコンバータ、通電するブロックを切り替えるスイッチ回路等により構成され、電池の装着の有無、電池の種類、電池残量の検出等を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３０】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３１】
通信部５４は、無線または有線ケーブルによって接続された外部機器に対して、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、外部機器から画像データやその他の各種情報を受信することができる。
【００３２】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された撮像画像の画像ファイルに付加したり、画像を回転して記録することが可能である。姿勢検知部５５としては、加速度センサーやジャイロセンサーなどを用いることができる。
【００３３】
操作部７０は、システム制御部５０に各種の動作指示を入力するための操作手段である。操作部７０は、ユーザーからの操作（ユーザー操作）を受け付ける入力部としての各種操作部材を含む。具体的には、操作部７０は、モード切替スイッチ６０、シャッターボタン６１、メイン電子ダイヤル７１、電源スイッチ７２、サブ電子ダイヤル７３、４方向キー７４、ＳＥＴボタン７５、ＬＶボタン７６、拡大ボタン７７、及び、縮小ボタン７８を含む。また、操作部材は、再生ボタン７９、タッチパネル７０ａ、ＡＦ−ＯＮボタン７０ｂ、Ｑボタン７０ｃ、アクティブ枠切替ボタン７０ｄ、メニューボタン７０ｅ、ファンクションボタン７０ｆ、及び、インフォボタン７０ｇを含む。操作部７０の各操作部材は、表示部２８、または、外部機器３００に表示される種々の機能アイコンを選択操作することなどにより、場面ごとに適宜機能が割り当てられ、各種機能ボタンとして作用する。機能ボタンとしては、例えば、終了ボタン、戻るボタン、画像送りボタン、ジャンプボタン、絞込みボタン、属性変更ボタン、等がある。
【００３４】
モード切替スイッチ６０は、各種モードを切り替えるための操作部材である。モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、これらのモードのいずれかに直接切り替えられる。あるいは、モード切替スイッチ６０で撮影モードの一覧画面に一旦切り替えた後に、表示された複数のモードのいずれかに、他の操作部材を用いて切り替えるようにしてもよい。同様に、動画撮影モードにも複数のモードが含まれていてもよい。
【００３５】
シャッターボタン６１は、撮影指示を行うための操作部材である。シャッターボタン６１は、第１シャッタースイッチ６２と第２シャッタースイッチ６４を備える。第１シャッタースイッチ６２は、シャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１により、ＡＦ処理、ＡＥ処理、ＡＷＢ処理、ＥＦ処理、等の動作を開始する。第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３６】
メイン電子ダイヤル７１は回転操作部材であり、メイン電子ダイヤル７１を回すことで、シャッター速度や絞りなどの設定値の変更等が行える。電源スイッチ７２は、デジタルカメラ１００の電源のＯＮ／ＯＦＦを切り替える操作部材である。サブ電子ダイヤル７３は、回転操作部材であり、サブ電子ダイヤル７３を回すことで、選択枠の移動や画像送りなどが行える。４方向キー７４は、上、下、左、右の各部を押し込み可能に構成される。４方向キー７４の押した部分に応じた処理が可能である。本実施形態では４方向キー７４
一体的な操作部材として説明しているが、上ボタン、下ボタン、右ボタン、左ボタンがそれぞれ独立した方向ボタンであってもよい。以下、上または下部分を上下キー、左または右部分を左右キーと称する。ＳＥＴボタン７５は、押しボタンであり、主に選択項目の決定などに用いられる。
【００３７】
ＬＶボタン７６は、静止画撮影モードおいてライブビュー（ＬＶ）のＯＮ／ＯＦＦを切り替えるボタンである。動画撮影モードにおいては、ＬＶボタン７６は、動画撮影（記録）の開始、停止の指示に用いられる。拡大ボタン７７は、撮影モードのライブビュー表示において拡大モードのＯＮ／ＯＦＦの切り替え及び拡大モード中の拡大率の変更を行うための操作ボタンである。再生モードにおいては、拡大ボタン７７は、再生画像を拡大したり、その拡大率を増加させたりするための拡大ボタンとして機能する。縮小ボタン７８は、拡大された再生画像の拡大率を低減させ、表示された画像を縮小させるためのボタンである。再生ボタン７９は、撮影モードと再生モードとを切り替える操作ボタンである。撮影モード中に再生ボタン７９を押下することで再生モードに移行し、記録媒体２００に記録された画像のうち最新の画像を表示部２８または外部機器３００に表示させることができる。
【００３８】
タッチパネル７０ａは、タッチパネル７０ａに対する接触を検知する。タッチパネル７０ａと表示部２８とは一体的に構成することができる。例えば、タッチパネル７０ａを、光の透過率が表示部２８の表示を妨げないように構成し、表示部２８の表示面の上層に取り付ける。そして、タッチパネル７０ａにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０は、タッチパネル７０ａへの以下の操作、あるいは状態を検出できる。
・タッチパネル７０ａにタッチしていなかった指やペンが新たにタッチパネル７０ａにタッチしたこと、すなわち、タッチの開始（以下、タッチダウン（Ｔｏｕｃｈ−Ｄｏｗｎ）と称する）
・タッチパネル７０ａを指やペンがタッチしている状態であること（以下、タッチオン（Ｔｏｕｃｈ−Ｏｎ）と称する）
・指やペンがタッチパネル７０ａをタッチしたまま移動していること（以下、タッチムーブ（Ｔｏｕｃｈ−Ｍｏｖｅ）と称する）
・タッチパネル７０ａへタッチしていた指やペンがタッチパネル７０ａから離れたこと、すなわち、タッチの終了（以下、タッチアップ（Ｔｏｕｃｈ−Ｕｐ）と称する）
・タッチパネル７０ａに何もタッチしていない状態（以下、タッチオフ（Ｔｏｕｃｈ−Ｏｆｆ）と称する）
【００３９】
タッチダウンが検出されると、同時にタッチオンも検出される。タッチダウンの後、タッチアップが検出されない限りは、通常はタッチオンが検出され続ける。タッチムーブが検出された場合も、同時にタッチオンが検出される。タッチオンが検出されていても、タッチ位置が移動していなければタッチムーブは検出されない。タッチしていた全ての指やペンがタッチアップしたことが検出されると、タッチオフが検出される。
【００４０】
これらの操作・状態や、タッチパネル７０ａ上に指やペンがタッチしている位置座標は内部バスを通じてシステム制御部５０に通知される。そして、システム制御部５０は通知された情報に基づいてタッチパネル７０ａ上にどのような操作（タッチ操作）が行なわれたかを判定する。タッチムーブについてはタッチパネル７０ａ上で移動する指やペンの移動方向についても、位置座標の変化に基づいて、タッチパネル７０ａ上の垂直成分・水平成分毎に判定できる。所定距離以上をタッチムーブしたことが検出された場合はスライド操作が行なわれたと判定するものとする。タッチパネル７０ａ上に指をタッチしたままあ
る程度の距離だけ素早く動かして、そのまま離すといった操作をフリックと呼ぶ。フリックは、言い換えればタッチパネル７０ａ上を指ではじくように素早くなぞる操作である。所定距離以上を、所定速度以上でタッチムーブしたことが検出され、そのままタッチアップが検出されるとフリックが行なわれたと判定できる（スライド操作に続いてフリックがあったものと判定できる）。更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。タッチパネル７０ａは、抵抗膜方式や静電容量方式、表面弾性波方式、赤外線方式、電磁誘導方式、画像認識方式、光センサー方式等、様々な方式のタッチパネルのうちいずれの方式のものを用いてもよい。タッチパネルに対する接触があったことでタッチがあったと検出する方式や、タッチパネルに対する指やペンの接近があったことでタッチがあったと検出する方式があるが、いずれの方式でもよい。
【００４１】
メニューボタン７０ｅは押しボタンスイッチであり、メニューボタン７０ｅを押下することで、各種の設定が可能なメニュー画面が表示部２８または外部機器３００に表示される。ユーザーは、表示部２８または外部機器３００に表示されたメニュー画面と、４方向キー７４やＳＥＴボタン７５とを用いて直感的に各種設定を行うことができる。
【００４２】
インフォボタン７０ｇは、押しボタンスイッチであり、各種情報表示の切り替えなどに使用される。
【００４３】
図３は、デジタルカメラ１００と外部機器３００との接続を表す図である。接続ケーブルであるＨＤＭＩ（登録商標）ケーブル３０２を用いて、デジタルカメラ１００の出力Ｉ／Ｆ９１と外部機器３００とのＨＤＭＩ接続が可能である。ＨＤＭＩ接続がされると、デジタルカメラ１００の表示部２８が消灯し、デジタルカメラ１００に表示されていた画像が外部機器３００の表示部（外部表示部）３０１に表示される。
【００４４】
＜再生モード処理（本体）＞
図４は、デジタルカメラ１００で行われる再生モード処理の詳細を示すフローチャートである。この処理は、不揮発性メモリ５６に記録されたプログラムをシステムメモリ５２に展開してシステム制御部５０が実行することで実現する。
【００４５】
Ｓ４０１では、システム制御部５０は、デジタルカメラ１００が外部機器３００に接続されているか否かを判定する。接続されていると判定された場合はＳ４０３に進み、そうでない場合はＳ４０２に進む。
【００４６】
Ｓ４０２では、システム制御部５０は、再生する画像のファイルから、当該画像の情報を取得する。取得される情報は、メタデータ（属性情報を含む）、ファイル名、等である。再生する画像のファイルは記録媒体２００に記録されており、当該画像の情報は、記録媒体２００から記録媒体Ｉ／Ｆ１８を用いてシステムメモリ５２に読み込まれる。
【００４７】
Ｓ４０３では、システム制御部５０は、デジタルカメラ１００と外部機器３００の接続処理を行う。接続処理（外部接続処理）の詳細は図５（Ａ）〜５（Ｄ）を用いて後述する。
【００４８】
Ｓ４０４では、システム制御部５０は、Ｓ４０２や後述のＳ４２４で取得した情報（再生する画像のメタデータ、ファイル名、等）から、再生する画像がＲＡＷ画像（現像処理前の画像）か否かを判定する。ＲＡＷ画像と判定された場合はＳ４０６に進み、そうでない場合はＳ４０５に進む。ＲＡＷ画像のファイル、すなわちＲＡＷファイルには、ＲＡＷ画像、表示用ＪＰＥＧ画像、ＤＣＦサムネイル画像、等が含まれている。
【００４９】
Ｓ４０５では、システム制御部５０は、Ｓ４０２や後述のＳ４２４で取得した情報（再生する画像のメタデータ、ファイル名、等）から、再生する画像がＪＰＥＧ画像か否かを判定する。ＪＰＥＧ画像と判定された場合はＳ４０７に進み、そうでない場合はＳ４０８に進む。ここでのＪＰＥＧ画像は、ＲＡＷファイルに含まれた表示用ＪＰＥＧ画像ではなく、独立したＪＰＥＧファイルの画像である。
【００５０】
Ｓ４０６では、システム制御部５０は、再生するＲＡＷ画像に関連付けられて記録された表示用ＪＰＥＧ画像（付帯画像）のみを記録媒体２００から読み出し、表示部２８に表示する。例えば、図１０の再生画面１０００が表示部２８に表示される。再生画面１０００は、ＪＰＥＧ画像（表示用ＪＰＥＧ画像）に基づいて表示された再生画像１００１と、ＲＡＷ画像を表示していることを表すアイテム（アイコン）１００２とを含んでいる。各種アイテムとして、アイコン、ガイダンス、等が使用できる。アイコン１００２は、圧縮率と画素数（解像度、画像サイズ）を示すアイコンである。圧縮率を表していることから、再生画像１００１が圧縮された画像、すなわちＲＡＷファイルではなくＪＰＥＧファイルなどの圧縮符号化された画像ファイルの画像であることが識別できる。
【００５１】
Ｓ４０７では、システム制御部５０は、再生するＪＰＥＧ画像を記録媒体２００から読み出し、表示部２８に表示する。例えば、図１０の再生画面１０１０が表示部２８に表示される。再生画面１０１０は、ＪＰＥＧ画像に基づいて表示された再生画像１００１と、ＪＰＥＧ画像を表示していることを表すアイコン１０１２とを含んでいる。
【００５２】
Ｓ４０８では、システム制御部５０は、再生する動画を記録媒体２００から読み出し、当該動画の先頭フレームを表示部２８に表示する。例えば、図１８（Ｂ）の動画再生準備画面１８５０が表示部２８に表示される。動画再生準備画面１８５０は、動画の先頭フレームの画像１８５１と、当該動画の再生開始を指示するためのアイテム１８５２とを含んでいる。動画を表示していることを表すアイテムが動画再生準備画面に含まれていてもよい。
【００５３】
Ｓ４０９では、システム制御部５０は、操作受付処理を行う。デジタルカメラ１００が外部機器３００に接続されていない場合の操作受付処理の詳細は図１４（Ａ）を用いて後述する。
【００５４】
Ｓ４１０では、システム制御部５０は、動画表示処理を行う。デジタルカメラ１００が外部機器３００に接続されていない場合の動画表示処理の詳細は図８（Ａ）を用いて後述する。
【００５５】
Ｓ４１１では、システム制御部５０は、ユーザーによりメニューボタン７０ｅが押下されたか否かを判定する。メニューボタン７０ｅが押下されたと判定された場合はＳ４１３に進み、そうでない場合はＳ４１４に進む。Ｓ４１２でも、システム制御部５０は、メニューボタン７０ｅが押下されたか否かを判定する。メニューボタン７０ｅが押下されたと判定された場合はＳ４１３に進み、そうでない場合はＳ４１５に進む。Ｓ４１３では、システム制御部５０は、メニュー処理を行う。デジタルカメラ１００が外部機器３００に接続されていない場合のメニュー処理の詳細は後述する。
【００５６】
Ｓ４１４では、システム制御部５０は、ユーザーによりシャッターボタン６１の半押しが行われたか否かを判定する。シャッターボタン６１の半押しが行われたと判定された場合はＳ４１６に進み、そうでない場合はＳ４１７に進む。Ｓ４１５でも、システム制御部５０は、シャッターボタン６１の半押しが行われたか否かを判定する。シャッターボタン６１の半押しが行われたと判定された場合はＳ４１６に進み、そうでない場合はＳ４１８
に進む。
【００５７】
Ｓ４１６では、システム制御部５０は、撮影モード処理を行う。撮影モード処理は、撮影を行うためのモードである。撮影モード処理により、例えば、図１３の撮影待機画面１３００が表示部２８に表示される。撮影待機画面１３００は、撮影モードを表すアイコン１３０１、デジタルカメラ１００に設定された各種情報を表すアイコン１３０２、及び、被写体をリアルタイムで表すライブビュー画像１３０３を含んでいる。撮影モード処理では、システム制御部５０は、撮影指示に応じて撮影を行い、当該撮影によって得られた撮像画像の撮影確認画面（クイックレビュー画面）に、表示部２８の表示画面を自動的に切り替える。例えば、図１３の撮影確認画面１３１０が表示部２８に表示される。撮影確認画面１３１０は、直前の撮影によって得られた撮像画像の確認画面であり、直前の撮影によって得られた撮像画像の再生画像１３１１を含む。
【００５８】
Ｓ４１７では、システム制御部５０は、デジタルカメラ１００が外部機器３００に接続されているか否かを判定する。接続されていると判定された場合はＳ４１９に進み、そうでない場合はＳ４２０に進む。Ｓ４１８でも、システム制御部５０は、デジタルカメラ１００が外部機器３００に接続されているか否かを判定する。接続されていると判定された場合はＳ４１９に進み、そうでない場合はＳ４２１に進む。Ｓ４１９では、システム制御部５０は、図５（Ａ）〜５（Ｄ）を用いて後述する外部接続処理を行う。
【００５９】
Ｓ４２０では、システム制御部５０は、ユーザーにより電源スイッチ７２が操作されて電源オフが指示されたか否かを判定する。電源オフが指示されたと判定された場合は再生モード処理を終了し、そうでない場合はＳ４２２に進む。Ｓ４２１でも、システム制御部５０は、電源オフが指示されたか否かを判定する。電源オフが指示されたと判定された場合は再生モード処理を終了し、そうでない場合はＳ４２３に進む。
【００６０】
Ｓ４２２では、システム制御部５０は、操作部７０を用いた画像切替操作がユーザーにより行われたか否かを判定する。画像切替操作が行われたと判定された場合はＳ４２４に進み、そうでない場合はＳ４０９に進む。Ｓ４２３でも、システム制御部５０は、画像切替操作が行われたか否かを判定する。画像切替操作が行われたと判定された場合はＳ４２４に進み、そうでない場合はＳ４１０に進む。
【００６１】
Ｓ４２４では、システム制御部５０は、次に再生する画像のファイルから、当該画像の情報（メタデータ、ファイル名、等）を取得する。
【００６２】
＜外部接続処理＞
図５（Ａ）は、外部接続処理（図４のＳ４０３とＳ４１９）の詳細を示すフローチャートである。この処理は、不揮発性メモリ５６に記録されたプログラムをシステムメモリ５２に展開してシステム制御部５０が実行することで実現する。
【００６３】
Ｓ５０１では、システム制御部５０は、外部機器３００がＨＤＲ映像信号に対応しているか（ＨＤＲ表示を行う能力があるか）否かを判定する。ＨＤＲ映像信号に対応していると判定された場合はＳ５０２に進み、そうでない場合はＳ５０４に進む。なお、ＨＤＲとは、Ｈｉｇｈ  Ｄｙｎａｍｉｃ  Ｒａｎｇｅ（ハイダイナミックレンジ）のことであり、ＳＤＲ（スタンダードダイナミックレンジ）よりも広いダイナミックレンジのことである。
【００６４】
Ｓ５０２では、システム制御部５０は、デジタルカメラ１００においてＨＤＲ出力設定（ＨＤＲ映像信号の出力を有効とすることの設定。言い換えると、基本的にＨＤＲ接続モードを設定すべきであることの設定）が有効であるか否かを判定する。有効であると判定
された場合はＳ５０３に進み、そうでない場合はＳ５０４に進む。ＨＤＲ接続モードは、ＨＤＲ画像を出力する接続モードである。
【００６５】
Ｓ５０３では、システム制御部５０は、ＨＤＲ接続モードを設定し、再生モード処理を行う。デジタルカメラ１００がＨＤＲ接続モードで外部機器３００に接続されている場合の再生モード処理の詳細は図６を用いて後述する。
【００６６】
Ｓ５０４では、システム制御部５０は、ＳＤＲ接続モードを設定し、再生モード処理を行う。ＳＤＲ接続モードは、ＳＤＲ画像を出力する接続モードである。デジタルカメラ１００がＳＤＲ接続モードで外部機器３００に接続されている場合の再生モード処理の詳細も後述する。
【００６７】
図５（Ｂ）は、デジタルカメラ１００と外部機器３００が互いに接続された場合の、デジタルカメラ１００と外部機器３００の制御手順を示すシーケンス図である。本実施形態では、デジタルカメラ１００と外部機器３００とのＨＤＭＩ接続が行われるものとして説明する。
【００６８】
Ｓ５１１では、システム制御部５０は＋５Ｖ信号の送信開始を出力Ｉ／Ｆ９１に指示し、出力Ｉ／Ｆ９１は＋５Ｖ信号の送信を開始する。送信された＋５Ｖ信号は、接続ケーブル３０２の＋５Ｖ信号線（不図示）を通じて、外部機器３００に伝送される。外部機器３００は、接続ケーブル３０２の＋５Ｖ信号を受信する。
【００６９】
Ｓ５１２では、外部機器３００は、＋５Ｖ信号の受信によって、接続ケーブル３０２を介したデジタルカメラ１００の接続を検知する。
【００７０】
Ｓ５１３では、外部機器３００は、接続ケーブル３０２のＨＰＤ信号線（不図示。ＨＰＤ：Ｈｏｔ  Ｐｌｕｇ  Ｄｅｔｅｃｔ）へのＨＰＤ信号の送信を開始する。デジタルカメラ１００の出力Ｉ／Ｆ９１は、送信されたＨＰＤ信号を、接続ケーブル３０２を介して受信する。出力Ｉ／Ｆ９１は、ＨＰＤ信号を受信すると、システム制御部５０にＨＰＤ信号の受信を通知する。
【００７１】
Ｓ５１４では、システム制御部５０は、ＨＰＤ信号の受信通知によって外部機器３００の接続を検知する。Ｓ５１４の処理が、図４のＳ４０１、Ｓ４１７、及び、Ｓ４１８の処理に対応する。システム制御部５０は、ＨＰＤ信号が受信されている期間に、デジタルカメラ１００が外部機器３００に接続されていると判定し、それ以外の期間に、デジタルカメラ１００が外部機器３００に接続されていないと判定する。
【００７２】
Ｓ５１５では、システム制御部５０は、出力Ｉ／Ｆ９１を制御して、接続ケーブル３０２からＥＤＩＤ要求信号を送信する（ＥＤＩＤ：Ｅｘｔｅｎｄｅｄ  Ｄｉｓｐｌａｙ  Ｉｄｅｎｔｉｆｉｃａｔｉｏｎ  Ｄａｔａ）。送信されたＥＤＩＤ要求信号は、接続ケーブル３０２のＥＤＩＤ信号線（不図示）を通じて、外部機器３００に伝送される。外部機器３００は、ＥＤＩＤ要求信号を受信する。
【００７３】
Ｓ５１６では、外部機器３００は、接続ケーブル３０２のＥＤＩＤ信号線（不図示）へＥＤＩＤを送信する。デジタルカメラ１００の出力Ｉ／Ｆ９１は、送信されたＥＤＩＤを接続ケーブル３０２を介して受信する。出力Ｉ／Ｆ９１は、ＥＤＩＤを受信すると、システム制御部５０にＥＤＩＤの受信を通知する。
【００７４】
Ｓ５１７では、システム制御部５０は、出力Ｉ／Ｆ９１に対し、Ｓ５１６において受信したＥＤＩＤのシステムメモリ５２へのコピーを指示する。コピー完了後、システム制御
部５０は、システムメモリ５２に展開されたＥＤＩＤを解析し、外部機器３００がどのような映像信号を受付可能かの能力を判断する。Ｓ５１７の処理が、図５（Ａ）のＳ５０１の処理に対応する。
【００７５】
Ｓ５１８では、システム制御部５０は、ＨＤＲ出力設定が有効であるか否かを判定する。外部機器３００がＨＤＲ映像信号を受付可能であり、且つ、ＨＤＲ出力設定が有効である場合には、システム制御部５０は、外部機器３００にＨＤＲ映像信号を出力すると判断する。そうでない場合には、システム制御部５０は、外部機器３００にＳＤＲ映像信号を出力すると判断する。Ｓ５１８の処理が、図５（Ａ）のＳ５０２の処理に対応する。
【００７６】
Ｓ５１９では、システム制御部５０は、出力Ｉ／Ｆ９１に対し、Ｓ５１８で判断した映像信号（ＨＤＲ映像信号またはＳＤＲ映像信号）の送信開始を指示する。Ｓ５１９の処理が、図５（Ａ）のＳ５０３やＳ５０４の処理に対応する。
【００７７】
Ｓ５２０では、デジタルカメラ１００の出力Ｉ／Ｆ９１は、接続ケーブル３０２のＴＭＤＳ信号線（不図示。ＴＭＤＳ：Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）へ、Ｓ５１８で判断された映像信号を出力し、外部機器３００は、接続ケーブル３０２のＴＭＤＳ信号線（不図示）を介して当該映像信号を受信する。
【００７８】
Ｓ５２１では、外部機器３００は、Ｓ５１８において受信した映像信号を解析し、外部表示部３０１の駆動設定が当該映像信号を表示できない設定である場合には、当該映像信号を表示できる設定に外部表示部３０１の駆動設定を切り替える。
【００７９】
Ｓ５２２では、外部機器３００は、Ｓ５１８において受信した映像信号を外部表示部３０１に表示する。
【００８０】
図５（Ｃ）は、外部機器３００との接続モードをＳＤＲ接続モードからＨＤＲ接続モードに切り替える場合の制御手順を示すシーケンス図である。このシーケンスでは、デジタルカメラ１００と外部機器３００との間の接続は図５（Ｂ）で説明したシーケンスで完了しており、ＳＤＲ接続モードが設定されているものとする。
【００８１】
Ｓ５３１では、システム制御部５０は、出力Ｉ／Ｆ９１に対しＳＤＲ映像信号の送信を指示する。Ｓ５３２では、デジタルカメラ１００の出力Ｉ／Ｆ９１は、接続ケーブル３０２のＴＭＤＳ信号線（不図示）へＳＤＲ映像信号を出力し、外部機器３００は、接続ケーブル３０２のＴＭＤＳ信号線（不図示）を介してＳＤＲ映像信号を受信する。Ｓ５３３では、外部機器３００は、Ｓ５３２において受信したＳＤＲ映像信号を外部表示部３０１に表示する。
【００８２】
ＳＤＲ接続モードが設定されている間は、Ｓ５３１からＳ５３３の処理を繰り返すことで、外部表示部３０１にＳＤＲ画像が表示される。設定されている接続モードがＳＤＲ接続モードからＨＤＲ接続モードに切り替えられると、Ｓ５３４以降の処理が実行される。
【００８３】
Ｓ５３４では、システム制御部５０は、出力Ｉ／Ｆ９１に対しＳＤＲ映像信号の出力停止を指示する。Ｓ５３５では、デジタルカメラ１００の出力Ｉ／Ｆ９１は、接続ケーブル３０２のＴＭＤＳ信号線（不図示）へのＳＤＲ映像信号の出力を停止する。それにより、外部機器３００では、接続ケーブル３０２のＴＭＤＳ信号線（不図示）を介したＳＤＲ映像信号の受信が停止される。Ｓ５３６では、外部機器３００は、デジタルカメラ１００からの映像信号の受信が停止したため、外部表示部３０１への映像の表示を停止する。
【００８４】
Ｓ５３７では、システム制御部５０は、出力Ｉ／Ｆ９１に対しＨＤＲ映像信号の送信を指示する。Ｓ５３８では、デジタルカメラ１００の出力Ｉ／Ｆ９１は、接続ケーブル３０２のＴＭＤＳ信号線（不図示）へＨＤＲ映像信号を出力し、外部機器３００は、接続ケーブル３０２のＴＭＤＳ信号線（不図示）を介してＨＤＲ映像信号を受信する。
【００８５】
Ｓ５３９では、外部機器３００は、Ｓ５３８において受信した映像信号を解析し、ＨＤＲ映像信号を表示できる設定に外部表示部３０１の駆動設定を切り替える。Ｓ５４０では、外部機器３００は、Ｓ５３８において受信したＨＤＲ映像信号を外部表示部３０１に表示する。このとき、Ｓ５３９とＳ５４０の処理時間は外部機器３００の性能によって異なり、映像が表示されるまでに１秒から５秒程度の時間がかかる。
【００８６】
図５（Ｄ）は、外部機器３００との接続モードをＨＤＲ接続モードからＳＤＲ接続モードに切り替える場合の制御手順を示すシーケンス図である。このシーケンスでは、デジタルカメラ１００と外部機器３００との間の接続は図５（Ｂ）で説明したシーケンスで完了しており、ＨＤＲ接続モードが設定されているものとする。
【００８７】
Ｓ５５１では、システム制御部５０は、出力Ｉ／Ｆ９１に対しＨＤＲ映像信号の送信を指示する。Ｓ５５２では、デジタルカメラ１００の出力Ｉ／Ｆ９１は、接続ケーブル３０２のＴＭＤＳ信号線（不図示）へＨＤＲ映像信号を出力し、外部機器３００は、接続ケーブル３０２のＴＭＤＳ信号線（不図示）を介してＨＤＲ映像信号を受信する。Ｓ５５３では、外部機器３００は、Ｓ５５２において受信したＨＤＲ映像信号を外部表示部３０１に表示する。
【００８８】
ＨＤＲ接続モードが設定されている間は、Ｓ５５１からＳ５５３の処理を繰り返すことで、外部表示部３０１にＨＤＲ画像が表示される。設定されている接続モードがＨＤＲ接続モードからＳＤＲ接続モードに切り替えられると、Ｓ５５４以降の処理が実行される。
【００８９】
Ｓ５５４では、システム制御部５０は、出力Ｉ／Ｆ９１に対しＨＤＲ映像信号の出力停止を指示する。Ｓ５５５では、デジタルカメラ１００の出力Ｉ／Ｆ９１は、接続ケーブル３０２のＴＭＤＳ信号線（不図示）へのＨＤＲ映像信号の出力を停止する。それにより、外部機器３００では、接続ケーブル３０２のＴＭＤＳ信号線（不図示）を介したＨＤＲ映像信号の受信が停止される。Ｓ５５６では、外部機器３００は、デジタルカメラ１００からの映像信号の受信が停止したため、外部表示部３０１への映像の表示を停止する。
【００９０】
Ｓ５５７では、システム制御部５０は、出力Ｉ／Ｆ９１に対しＳＤＲ映像信号の送信を指示する。Ｓ５５８では、デジタルカメラ１００の出力Ｉ／Ｆ９１は、接続ケーブル３０２のＴＭＤＳ信号線（不図示）へＳＤＲ映像信号を出力し、外部機器３００は、接続ケーブル３０２のＴＭＤＳ信号線（不図示）を介してＳＤＲ映像信号を受信する。
【００９１】
Ｓ５５９では、外部機器３００は、Ｓ５５８において受信した映像信号を解析し、ＳＤＲ映像信号を表示できる設定に外部表示部３０１の駆動設定を切り替える。Ｓ５６０では、外部機器３００は、Ｓ５５８において受信したＳＤＲ映像信号を外部表示部３０１に表示する。このとき、Ｓ５５９とＳ５６０の処理時間は外部機器３００の性能によって異なり、映像が表示されるまでに１秒から５秒程度の時間がかかる。
【００９２】
なお、図５（Ａ）〜５（Ｄ）では、外部機器３００との接続としてＨＤＭＩ接続を用いて説明したが、Ｄｉｓｐｌａｙ  Ｐｏｒｔやその他のデジタル接続手段を用いた接続が行われてもよい。
【００９３】
＜再生モード処理（ＨＤＲ接続モード）＞
図６は、ＨＤＲ接続モードでの接続がされている場合の再生モード処理（図５のＳ５０３）の詳細を示すフローチャートである。この処理は、不揮発性メモリ５６に記録されたプログラムをシステムメモリ５２に展開してシステム制御部５０が実行することで実現する。
【００９４】
Ｓ６０１では、システム制御部５０は、再生する画像のファイルから、当該画像の情報（メタデータ、ファイル名、等）を取得する。
【００９５】
Ｓ６０２では、システム制御部５０は、Ｓ６０１や後述のＳ６３７で取得した情報（再生する画像のメタデータ、ファイル名、等）から、再生する画像がデジタルカメラ１００で現像可能なＲＡＷ画像（対応ＲＡＷ画像）か否かを判定する。対応ＲＡＷ画像と判定された場合はＳ６０３に進み、そうでない場合はＳ６１２に進む。対応ＲＡＷ画像は例えばデジタルカメラ１００で撮影されたＲＡＷ画像である。ＲＡＷ画像ファイルの属性情報に記録された、当該ＲＡＷ画像を撮影したカメラの機種情報またはＲＡＷ画像のバージョン情報に基づき、デジタルカメラ１００と同じ機種で撮影されたＲＡＷ画像であれば、対応ＲＡＷ画像であると判定される。他の機種で撮影されたＲＡＷ画像には、非対応ＲＡＷ画像と判定されるものもある。
【００９６】
Ｓ６０３では、システム制御部５０は、再生する対応ＲＡＷ画像に関連付けられて記録された表示用ＪＰＥＧ画像を、記録媒体２００から記録媒体Ｉ／Ｆ１８を用いてメモリ３２に読み込み、疑似ＨＤＲ変換処理でＨＤＲ画像に変換してメモリ３２に書き込む。本実施形態では、疑似ＨＤＲ変換処理は、８ｂｉｔの階調分解能を有するＪＰＥＧ画像（特定種別の画像）を、１０ｂｉｔまたは１２ｂｉｔの階調分解能を有するＨＤＲ画像（疑似ＨＤＲ画像；変換画像）に変換する処理である。例えば、ＢＴ．２０２０ではＨＤＲ画像の階調分解能として１０ｂｉｔの階調分解能が規定されている。ＨＤＲ画像の階調分解能として１２ｂｉｔの階調分解能を規定するものもある。疑似ＨＤＲ変換処理の詳細は図９（Ａ），９（Ｂ）を用いて後述する。
【００９７】
Ｓ６０４では、システム制御部５０は、出力Ｉ／Ｆ９１を制御し、メモリ３２に格納されている疑似ＨＤＲ画像をデジタル信号のまま外部機器３００に出力（供給）する。これにより、Ｓ６０３でメモリ３２に書き込まれた疑似ＨＤＲ画像は、外部機器３００の外部表示部３０１に表示される（ＨＤＲ表示）。例えば、図１０の再生画面１０２０が外部表示部３０１に表示される。再生画面１０２０は、疑似ＨＤＲ画像１０２１、ＨＤＲ表示が行われていることを表すアイコン１０２２、及び、ＲＡＷ画像を表示していることを表すアイコン１００２を含んでいる。対応ＲＡＷ画像の現像には時間がかかるため、本実施形態では、対応ＲＡＷ画像を現像したＨＤＲ画像を表示する前に、当該対応ＲＡＷ画像に関連付けられた表示用ＪＰＥＧ画像を疑似ＨＤＲ画像に変換して表示する。
【００９８】
Ｓ６０５では、システム制御部５０は、操作部７０を用いた画像切替操作が行われたか否かを判定する。画像切替操作が行われたと判定された場合はＳ６３７に進み、そうでない場合はＳ６０６に進む。
【００９９】
Ｓ６０６では、システム制御部５０は、再生する対応ＲＡＷ画像を記録媒体２００から記録媒体Ｉ／Ｆ１８を用いてメモリ３２に読み込む。
【０１００】
Ｓ６０７では、システム制御部５０は、操作部７０を用いた画像切替操作が行われたか否かを判定する。画像切替操作が行われたと判定された場合はＳ６３７に進み、そうでない場合はＳ６０８に進む。
【０１０１】
Ｓ６０８では、システム制御部５０は、Ｓ６０６でメモリ３２に読み込まれた対応ＲＡ
Ｗ画像からＨＤＲ画像を生成するＨＤＲ生成処理（ＨＤＲ現像処理）を開始する。本実施形態では、ＨＤＲ生成処理は、所定のデフォルトパラメータでＲＡＷ画像から現像ＨＤＲ画像を生成する現像処理（色処理を含む）である。システム制御部５０は、生成した現像ＨＤＲ画像をメモリ３２に書き込む。なお、ＨＤＲ現像処理は、ＲＡＷ画像を現像して８ｂｉｔＳＤＲの画像を生成する現像処理（例えばＲＡＷ画像からＪＰＥＧ画像を生成する処理）とは異なり、１０ｂｉｔＨＤＲ画像を生成する処理である。
【０１０２】
Ｓ６０９では、システム制御部５０は、操作部７０を用いた画像切替操作が行われたか否かを判定する。画像切替操作が行われたと判定された場合はＳ６３７に進み、そうでない場合はＳ６１０に進む。
【０１０３】
Ｓ６１０では、システム制御部５０は、Ｓ６０８で開始したＨＤＲ現像処理が完了しているか否かを判定する。現像処理が完了していると判定された場合はＳ６１１に進み、そうでない場合はＳ６０９に進む。
【０１０４】
Ｓ６１１では、システム制御部５０は、メモリ３２に格納されている現像ＨＤＲ画像を外部機器３００に出力する。これにより、Ｓ６０８のＨＤＲ現像処理で生成された現像ＨＤＲ画像は、Ｓ６０４で表示された疑似ＨＤＲ画像に代えて、外部機器３００の外部表示部３０１に表示される（ＨＤＲ表示）。例えば、図１０の再生画面１０３０が外部表示部３０１に表示される。再生画面１０３０は、現像ＨＤＲ画像１０３１、ＲＡＷ画像を表示していることを表すアイコン１００２、及び、ＨＤＲ表示が行われていることを表すアイコン１０２２を含んでいる。
【０１０５】
図１０において、再生画面１０２０の疑似ＨＤＲ画像１０２１と、再生画面１０３０の現像ＨＤＲ画像１０３１とを比較すると、疑似ＨＤＲ画像１０２１では白飛びしていた空の雲が、現像ＨＤＲ画像１０３１では白飛びせずに階調が表現されている。これは、ＲＡＷ画像やＨＤＲ画像の階調分解能がＪＰＥＧ画像などのＳＤＲ画像の階調分解能よりも高いことに起因する。具体的には、ＪＰＥＧ画像の階調分解能は低いため、ＪＰＥＧ画像には白飛びが生じやすい。そして、ＪＰＥＧ画像を変換した疑似ＨＤＲ画像にも、当該ＪＰＥＧ画像に存在する白飛びが残るため、白飛びが生じやすい。一方で、ＲＡＷ画像やＨＤＲ画像の階調分解能は高いため、ＲＡＷ画像には白飛びが生じにくく、ＲＡＷ画像を現像した現像ＨＤＲにも白飛びが生じにくい。
【０１０６】
Ｓ６１２では、システム制御部５０は、Ｓ６０１や後述のＳ６３７で取得した情報（再生する画像のメタデータ、ファイル名、等）から、再生する画像がデジタルカメラ１００での現像処理に対応していないＲＡＷ画像（非対応ＲＡＷ画像）か否かを判定する。非対応ＲＡＷ画像と判定された場合はＳ６１３に進み、そうでない場合はＳ６１４に進む。
【０１０７】
Ｓ６１３では、システム制御部５０は、Ｓ６０３と同様に、再生する非対応ＲＡＷ画像に関連付けられて記録された表示用ＪＰＥＧ画像を疑似ＨＤＲ画像に変換する。
【０１０８】
Ｓ６１４では、システム制御部５０は、Ｓ６０１や後述のＳ６３７で取得した情報（再生する画像のメタデータ、ファイル名、等）から、再生する画像がＪＰＥＧ画像か否かを判定する。ＪＰＥＧ画像と判定された場合はＳ６１５に進み、そうでない場合はＳ６１７に進む。ここでのＪＰＥＧ画像は、ＲＡＷファイルに含まれた表示用ＪＰＥＧ画像ではなく、独立したＪＰＥＧファイルの画像である。
【０１０９】
Ｓ６１５では、システム制御部５０は、再生するＪＰＥＧ画像を、記録媒体２００から記録媒体Ｉ／Ｆ１８を用いてメモリ３２に読み込み、図９（Ａ），９（Ｂ）を用いて後述する疑似ＨＤＲ変換処理で疑似ＨＤＲ画像に変換してメモリ３２に書き込む。
【０１１０】
Ｓ６１６では、システム制御部５０は、Ｓ６０４と同様に、Ｓ６１３やＳ６１５で生成された疑似ＨＤＲ画像を、外部機器３００に出力して表示する（ＨＤＲ表示）。例えば、再生する画像が非対応ＲＡＷ画像である場合には図１０の再生画面１０２０と同様の再生画面が外部表示部３０１に表示され、再生する画像がＪＰＥＧ画像である場合には図１０の再生画面１０４０が外部表示部３０１に表示される。再生画面１０２０と同様に、再生画面１０４０は、疑似ＨＤＲ画像１０２１と、ＨＤＲ表示が行われていることを表すアイコン１０２２とを含んでいる。但し、再生画面１０４０は、ＲＡＷ画像を表示していることを表すアイコン１００２ではなく、ＪＰＥＧ画像を表示していることを表すアイコン１０１２を含んでいる。なお、対応ＲＡＷ画像の場合と異なり、この後に疑似ＨＤＲ画像を対応するＨＤＲ画像に置き替えることはない。
【０１１１】
Ｓ６１７では、システム制御部５０は、再生する動画の先頭フレームの画像を、記録媒体２００から記録媒体Ｉ／Ｆ１８を用いてメモリ３２に読み込み、後述の疑似ＨＤＲ変換処理で疑似ＨＤＲ画像に変換してメモリ３２に書き込む。
【０１１２】
Ｓ６１８では、システム制御部５０は、Ｓ６０４と同様に、Ｓ６１７で生成された疑似ＨＤＲ画像を、外部機器３００に出力して表示する（ＨＤＲ表示）。例えば、図１８（Ｂ）の動画再生準備画面１８５０と同様の動画再生準備画面が表示される。
【０１１３】
Ｓ６１９では、システム制御部５０は、操作受付処理を行う。デジタルカメラ１００がＨＤＲ接続モードで外部機器３００に接続されている場合の操作受付処理の詳細は図１４（Ｂ）を用いて後述する。Ｓ６２０では、システム制御部５０は、動画表示処理を行う。デジタルカメラ１００がＨＤＲ接続モードで外部機器３００に接続されている場合の動画表示処理の詳細は図８（Ｂ）を用いて後述する。
【０１１４】
Ｓ６２１では、システム制御部５０は、メニューボタン７０ｅが押下されたか否かを判定する。メニューボタン７０ｅが押下されたと判定された場合はＳ６２３に進み、そうでない場合はＳ６２６に進む。Ｓ６２２でも、システム制御部５０は、メニューボタン７０ｅが押下されたか否かを判定する。メニューボタン７０ｅが押下されたと判定された場合はＳ６２３に進み、そうでない場合はＳ６２７に進む。
【０１１５】
Ｓ６２３では、システム制御部５０は、ＨＤＲ接続モードフラグを１に設定する。ＨＤＲ接続モードフラグは、１に設定されていた場合に、ＳＤＲ接続モードが設定される直前にＨＤＲ接続モードが設定されていたこと、一時的なＳＤＲ接続を行っている状態であることを示す。Ｓ６２４では、システム制御部５０は、設定されている接続モードをＨＤＲ接続モードからＳＤＲ接続モードに切り替え、ＳＤＲ接続モードでの接続のための外部接続処理（図５（Ｄ）で前述したＳＤＲ接続処理）を行う。Ｓ６２５では、システム制御部５０は、メニュー処理を行う。デジタルカメラ１００が外部機器３００に接続されている場合のメニュー処理の詳細は図７を用いて後述する。このように、ＨＤＲ接続モードで接続していた状態から、再生画像（撮影された画像）を含まないメニュー画面へ遷移する際に、自動的にＳＤＲ接続モードに切り替える。
【０１１６】
Ｓ６２６では、システム制御部５０は、シャッターボタン６１の半押しが行われたか否かを判定する。シャッターボタン６１の半押しが行われたと判定された場合はＳ６２８に進み、そうでない場合はＳ６３１に進む。Ｓ６２７でも、システム制御部５０は、シャッターボタン６１の半押しが行われたか否かを判定する。シャッターボタン６１の半押しが行われたと判定された場合はＳ６２８に進み、そうでない場合はＳ６３２に進む。
【０１１７】
Ｓ６２８では、システム制御部５０は、ＨＤＲ接続モードフラグを１に設定する。Ｓ６
２９では、システム制御部５０は、設定されている接続モードをＨＤＲ接続モードからＳＤＲ接続モードに切り替え、図５（Ｄ）で前述したＳＤＲ接続処理（再接続処理）を行う。Ｓ６３０では、システム制御部５０は、撮影モード処理を行う。例えば、撮影モード処理では、システム制御部５０は、図１３の撮影待機画面１３００を外部機器３００に出力して表示する。撮影待機画面を表示している状態（撮影待機状態）では、システム制御部５０は、撮影指示に応じて撮影を行う。撮影が行われると、図１３の撮影確認画面１３１０に、外部機器３００への出力画面を自動的に切り替える。これにより、撮影確認画面１３１０に外部表示部３０１の表示画面が自動的に切り替えられる。このように、再生モードにおいてＨＤＲ接続モードで接続していた状態から撮影モードに切り替えられると、接続モードを自動的にＳＤＲ接続モードに切り替える。なお、ＨＤＲ接続モードフラグが１の状態で、撮影モードから再生ボタン７９が押下され、再び再生モードに切り替えられると、ＳＤＲ接続モードからＨＤＲ接続モードに接続し直して、再生画像を表示する。
【０１１８】
Ｓ６３１では、システム制御部５０は、デジタルカメラ１００が外部機器３００に接続されているか否かを判定する。接続されていないと判定された場合は図４のＳ４０２に進み、そうでない場合はＳ６３３に進む。Ｓ６３２でも、システム制御部５０は、デジタルカメラ１００が外部機器３００に接続されているか否かを判定する。接続されていないと判定された場合は図４のＳ４０２に進み、そうでない場合はＳ６３４に進む。
【０１１９】
Ｓ６３３では、システム制御部５０は、電源オフが指示されたか否かを判定する。電源オフが指示されたと判定された場合は再生モード処理を終了し、そうでない場合はＳ６３５に進む。Ｓ６３４でも、システム制御部５０は、電源オフが指示されたか否かを判定する。電源オフが指示されたと判定された場合は再生モード処理を終了し、そうでない場合はＳ６３６に進む。
【０１２０】
Ｓ６３５では、システム制御部５０は、画像切替操作が行われたか否かを判定する。画像切替操作が行われたと判定された場合はＳ６３７に進み、そうでない場合はＳ６１９に進む。Ｓ６３６でも、システム制御部５０は、画像切替操作が行われたか否かを判定する。画像切替操作が行われたと判定された場合はＳ６３７に進み、そうでない場合はＳ６２０に進む。
【０１２１】
Ｓ６３７では、システム制御部５０は、Ｓ６０１と同様に、次に再生する画像のファイルから、当該画像の情報（メタデータ、ファイル名、等）を取得する。
【０１２２】
以上が、ＨＤＲ接続モードでの接続がされている場合の再生モード処理である。一方で、ＳＤＲ接続モードでの接続がされている場合の再生モード処理では、図４と同様の処理が行われる。但し、Ｓ４０１とＳ４０３に対応する処理は行われず、図４の説明における「表示部２８」を「外部表示部３０１」に読み替えた処理が行われる。また、Ｓ４１７に対応する処理では、デジタルカメラ１００が外部機器３００に接続されていないと判定された場合にＳ４０２に進み、そうでない場合にＳ４２０に対応する処理に進む。同様に、Ｓ４１８に対応する処理では、デジタルカメラ１００が外部機器３００に接続されていないと判定された場合にＳ４０２に進み、そうでない場合にＳ４２１に対応する処理に進む。すなわち、ＳＤＲ接続モードで接続されていた場合に、メニュー画面へ遷移、あるいは撮影モードに切り替えられても、接続モードの変更は行わない。
【０１２３】
＜メニュー処理＞
図７は、デジタルカメラ１００が外部機器３００に接続されている場合のメニュー処理（図６のＳ６２５）の詳細を示すフローチャートである。この処理は、不揮発性メモリ５６に記録されたプログラムをシステムメモリ５２に展開してシステム制御部５０が実行することで実現する。
【０１２４】
Ｓ７０１では、システム制御部５０は、外部機器３００にメニュー画面を出力して表示する。メニュー画面などの自然画でない画面では、文字、アイコン、背景、等の色として明るい白色が使用されることが多い。例えば、図１１のメニュー画面１１００が外部表示部３０１に表示される。メニュー画面１１００は、複数のメニュータブ１１０１と、複数のメニュー項目１１０２とを含む。複数のメニュー項目１１０２は、メニュー項目１１０３〜１１０５を含む。メニュー項目１１０３は、ＨＤＲ出力設定の有効／無効を切り替えるためのメニュー項目である。メニュー項目１１０４は、画像プロテクト（画像を削除不可にして保護する属性）の有効／無効を切り替えるためのメニュー項目である。メニュー項目１１０５は、複数の画像を順番に切り替えて表示するスライドショー処理の実行を指示するためのメニュー項目である。
【０１２５】
Ｓ７０２では、システム制御部５０は、ＨＤＲ出力設定の有効／無効を切り替えるためのメニュー項目１１０３がユーザーによって選択されたか否かを判定する。選択されたと判定された場合はＳ７０３に進み、そうでない場合はＳ７１０に進む。メニュー項目１１０３が選択されると、システム制御部５０は、Ｓ７０１で出力したメニュー画面から、ＨＤＲ出力設定の有効／無効を切り替えるための基本設定切替画面に、外部機器３００への出力画面を切り替える。例えば、外部機器３００への出力画面が図１１のメニュー画面１１００からＨＤＲ出力設定の設定画面１１１０に切り替えられ、外部表示部３０１の表示が切り替わる。ＨＤＲ出力設定の設定画面１１１０は、メニュー画面１１００と同種の画面であるが、ＨＤＲ出力設定を無効にするための選択項目１１１１と、ＨＤＲ出力設定を有効にするための選択項目１１１２とを含む。
【０１２６】
Ｓ７０３では、システム制御部５０は、ＨＤＲ出力設定を無効（「しない」）から有効（「する」）に切り替えるユーザー操作が行われたか否かを判定する。ＨＤＲ出力設定を無効から有効に切り替えるユーザー操作は、ＨＤＲ出力設定が無効である状態での、ＨＤＲ出力設定を有効にするための選択項目１１１２の選択である。ユーザー操作が行われたと判定された場合はＳ７０７に進み、そうでない場合はＳ７０４に進む。
【０１２７】
Ｓ７０４では、システム制御部５０は、ＨＤＲ出力設定を有効（「する」）から無効（「しない」）に切り替えるユーザー操作が行われたか否かを判定する。ＨＤＲ出力設定を有効から無効に切り替えるユーザー操作は、ＨＤＲ出力設定が有効である状態での、ＨＤＲ出力設定を無効にするための選択項目１１１１の選択である。ユーザー操作が行われたと判定された場合はＳ７０５に進み、そうでない場合はＳ７０９に進む。
【０１２８】
Ｓ７０５では、システム制御部５０は、ＨＤＲ出力設定を有効から無効に変更し、その設定値をシステムメモリ５２に記録する。Ｓ７０６では、システム制御部５０は、ＨＤＲ接続モードフラグを０に設定する。
【０１２９】
Ｓ７０７では、システム制御部５０は、ＨＤＲ出力設定を無効から有効に変更し、その設定値をシステムメモリ５２に記録する。Ｓ７０８では、システム制御部５０は、ＨＤＲ接続モードフラグを１に設定する。
【０１３０】
Ｓ７０９では、システム制御部５０は、Ｓ７０２からＳ７０３に進む際に表示されたＨＤＲ出力設定の設定画面からトップメニュー画面に戻るユーザー操作が行われたか否かを判定する。ユーザー操作が行われたと判定された場合はＳ７０１に進み、そうでない場合はＳ７０３に進む。
【０１３１】
Ｓ７１０では、システム制御部５０は、画像プロテクトの有効／無効を切り替えるためのメニュー項目１１０４がユーザーによって選択されたか否かを判定する。選択されたと
判定された場合はＳ７１１に進み、そうでない場合はＳ７１３に進む。
【０１３２】
Ｓ７１１では、システム制御部５０は、Ｓ７０１で出力したメニュー画面から、画像プロテクトの有効／無効を切り替えるためのプロテクト設定切替画面に、外部機器３００への出力画面を切り替える。例えば、外部機器３００への出力画面が図１１のメニュー画面１１００からプロテクト設定切替画面１１２０に切り替えられ、外部表示部３０１の表示が切り替わる。プロテクト設定切替画面１１２０は、画像プロテクトの有効／無効を切り替える対象の画像１１２１と、プロテクト設定切替画面であることを表すアイコン１１２２とを含んでいる。また、プロテクト設定切替画面１１２０は、画像プロテクトの有効／無効を切り替えるための操作部材がＳＥＴボタン７５であることを表すアイコン１１２３を含んでいる。プロテクト設定切替画面１１２０は、プロテクト設定切替画面１１２０から抜けるための操作部材がメニューボタン７０ｅであることを表すアイコン１１２４も含んでいる。ＳＥＴボタン７５が押下される度に、システム制御部５０は、画像プロテクトの有効／無効を切り替える。画像プロテクトが有効である場合には、システム制御部５０は、画像プロテクトが有効であることを表すアイコン１１２５がさらに表示されるように、出力画面を変更する。
【０１３３】
プロテクト設定切替画面１１２０の画像１１２１は、メニュー処理の直前に再生された画像、記録媒体２００に記録された複数の画像から他のユーザー操作によって選択された画像、等である。画像１１２１は、対応ＲＡＷ画像の画像ファイルの画像であっても、設定されている接続モードがＳＤＲ接続モードからＨＤＲ接続モードに切り替えられることなく表示される。すなわち、対応ＲＡＷ画像がプロテクト設定の対象である場合には、ＲＡＷ画像ファイルに含まれる表示用ＪＰＥＧがＳＤＲ接続モードで出力される。メニュー処理では、画像の選択削除、画像に対するレーティング（重要度）などの他の属性の付与、画像の属性変更、トリミングなどの画像編集、等を行う場合にも、画像１１２１のような画像が表示されることがある。そのような場合にも、設定されている接続モードがＨＤＲ接続モードに切り替えられることなく画像が表示される。
【０１３４】
Ｓ７１２では、システム制御部５０は、Ｓ７１１で表示されたプロテクト設定切替画面からメニュー画面に戻るユーザー操作（メニューボタン７０ｅの押下）が行われたか否かを判定する。ユーザー操作が行われたと判定された場合はＳ７０１に進み、そうでない場合はＳ７１１に進む。
【０１３５】
Ｓ７１３では、システム制御部５０は、スライドショー処理の実行を指示するためのメニュー項目１１０５がユーザーによって選択されたか否かを判定する。選択されたと判定された場合はＳ７１４に進み、そうでない場合はＳ７１５に進む。
【０１３６】
Ｓ７１４では、システム制御部５０は、スライドショー処理を行う。スライドショー処理の詳細は図１６（Ａ），１６（Ｂ），１７を用いて後述する。
【０１３７】
Ｓ７１５では、システム制御部５０は、メニュー項目１１０３〜１１０５ではないメニュー項目がユーザーによって選択されたか否かを判定する。選択されたと判定された場合はＳ７１６に進み、そうでない場合はＳ７１７に進む。
【０１３８】
Ｓ７１６では、システム制御部５０は、Ｓ７１５で選択されたメニュー項目に応じた処理を行う。例えば、画像の選択削除、画像に対する属性付与、画像の属性変更、画像編集、撮像画像の確認時間の変更、電子音出力の有効／無効の切り替え、または、外部ストロボの制御が行われる。
【０１３９】
Ｓ７１７では、システム制御部５０は、ユーザーによりメニュー処理終了操作が行われ
たか否かを判定する。メニュー処理終了操作が行われたと判定された場合はＳ７１８に進み、そうでない場合はＳ７０１に進む。
【０１４０】
Ｓ７１８では、システム制御部５０は、ＨＤＲ接続モードフラグが１か否かを判定する。ＨＤＲ接続モードフラグが１であると判定された場合はＳ７１９に進み、そうでない場合はＳ７２１に進む。
【０１４１】
Ｓ７１９では、システム制御部５０は、前述したＳ５０１と同様に、外部機器３００がＨＤＲに対応しているか否かを判定する。対応していると判定された場合はＳ７２０に進み、そうでない場合はＳ７２１に進む。
【０１４２】
Ｓ７２０では、システム制御部５０は、設定されている接続モードをＳＤＲ接続モードからＨＤＲ接続モードに切り替え、ＨＤＲ接続モードでの接続のための外部接続処理（図５（Ｃ）で前述したＨＤＲ接続処理；再接続処理）を行う。
【０１４３】
Ｓ７２１では、システム制御部５０は、ＳＤＲ接続モードでの接続がされている場合の再生モード処理（図４の変形）を行う。
【０１４４】
Ｓ７２２では、システム制御部５０は、ＨＤＲ接続モードでの接続がされている場合の再生モード処理（図６）を行う。
【０１４５】
以上が、デジタルカメラ１００が外部機器３００に接続されている場合のメニュー処理である。デジタルカメラ１００が外部機器３００に接続されていない場合のメニュー処理でも、図７と同様の処理が行われる。但し、Ｓ７１８〜Ｓ７２２に対応する処理は行われず、図７の説明における「外部表示部３０１」を「表示部２８」に読み替えた処理が行われる。また、Ｓ７１７に対応する処理においてメニュー処理終了操作が行われたと判定された場合は、システム制御部５０は、図４の再生モード処理を行う。
【０１４６】
＜動画表示処理＞
図８（Ａ）は、デジタルカメラ１００が外部機器３００に接続されていない場合の動画表示処理（図４のＳ４１０）の詳細を示すフローチャートである。この処理は、不揮発性メモリ５６に記録されたプログラムをシステムメモリ５２に展開してシステム制御部５０が実行することで実現する。この処理の開始時には、図１８（Ｂ）の動画再生準備画面１８５０が表示部２８に表示されている（図４のＳ４０８）。
【０１４７】
Ｓ８０１では、システム制御部５０は、ユーザーにより動画再生の指示がされたか否かを判定する。動画再生の指示がされた場合はＳ８０７に進み、そうでない場合はＳ８０２に進む。
【０１４８】
Ｓ８０２では、システム制御部５０は、動画再生の操作パネルの表示指示がユーザーによってされたか否かを判定する。操作パネルの表示指示がされた場合はＳ８０３に進み、そうでない場合は動画表示処理を終了する。
【０１４９】
Ｓ８０３では、システム制御部５０は、操作パネルを表示部２８に表示する。例えば、図１２の画面１２００が表示される。画面１２００は、再生対象の動画のフレーム１２０１、動画再生に関する各種ユーザー操作のための操作パネル１２０２、及び、動画表示処理を終了して再生モード処理に戻るためのユーザー操作を表すアイコン１２０３を含む。動画の再生を開始していない場合には動画の先頭フレームがフレーム１２０１として表示され、動画の再生中にはフレーム１２０１として表示されるフレームが時間経過によって順次変化する。操作パネル１２０２は、動画の再生開始を指示するための再生ボタン１１
２０４を含む。操作パネル１２０２は、コマ送りを指示するためのボタン、コマ戻しを指示するためのボタン、スロー再生を指示するためのボタン、等も含む。操作パネル１２０２は、編集モードへの遷移を指示するためのボタン、表示しているフレームの時間位置を表すインジケータバー、音量調整を指示するためのボタン、等も含む。アイコン１２０３は、動画表示処理を終了して再生モード処理に戻るためのユーザー操作がメニューボタン７０ｅの押下であることを表している。
【０１５０】
Ｓ８０４では、システム制御部５０は、ユーザーにより動画再生指示（再生ボタン１２０４の選択など）がされたか否かを判定する。動画再生指示がされた場合はＳ８０７に進み、そうでない場合はＳ８０５に進む。
【０１５１】
Ｓ８０５では、システム制御部５０は、ユーザーにより動画表示処理の終了指示（メニューボタン７０ｅの押下など）がされたか否かを判定する。動画表示処理の終了指示がされた場合は動画表示処理を終了し、そうでない場合はＳ８０６に進む。
【０１５２】
Ｓ８０６では、システム制御部５０は、他のユーザ操作が行われた場合に当該ユーザ操作に応じた処理を行う。例えば、再生時における動画の音量の調整、コマ送り、コマ戻し、スロー再生、動画編集、等が行われる。
【０１５３】
Ｓ８０７では、システム制御部５０は、動画再生処理を行う。これにより、動画の進行映像が表示部２８に表示される。
【０１５４】
Ｓ８０８では、システム制御部５０は、ユーザーにより動画再生の停止指示がされたか否かを判定する。動画再生の停止指示がされた場合はＳ８０３に進み、そうでない場合はＳ８０７に進む。Ｓ８０８からＳ８０３に進む際に、システム制御部５０は、動画再生の停止処理を行う。それにより、画面１２００のフレーム１２０１が順次変化しなくなる。
【０１５５】
ＳＤＲ接続モードでの接続がされている場合の動画表示処理でも、図８（Ａ）と同様の処理が行われる。但し、図８（Ａ）の説明における「表示部２８」を「外部表示部３０１」に読み替えた処理が行われる。
【０１５６】
図８（Ｂ）は、ＨＤＲ接続モードでの接続がされている場合の動画表示処理（図６のＳ６２０）の詳細を示すフローチャートである。この処理は、不揮発性メモリ５６に記録されたプログラムをシステムメモリ５２に展開してシステム制御部５０が実行することで実現する。この処理の開始前には、図１８（Ｂ）の動画再生準備画面１８５０と同様の動画再生準備画面が外部表示部３０１に表示されている（図６のＳ６１８）。
【０１５７】
Ｓ８１１では、システム制御部５０は、ユーザーにより動画再生の指示がされたか否かを判定する。動画再生の指示がされた場合はＳ８２１に進み、そうでない場合はＳ８１２に進む。
【０１５８】
Ｓ８２１では、システム制御部５０は、設定されている接続モードをＨＤＲ接続モードからＳＤＲ接続モードに切り替え、ＳＤＲ接続モードでの接続のための外部接続処理（図５（Ｄ）で前述したＳＤＲ接続処理；再接続処理）を行う。続いて、Ｓ８１７に進み、動画再生処理を行う。これにより、動画の進行映像が外部機器３００に出力され、外部表示部３０１に表示される。
【０１５９】
Ｓ８１２では、システム制御部５０は、動画再生の操作パネルの表示指示がユーザーによってされたか否かを判定する。操作パネルの表示指示がされた場合はＳ８２２に進み、そうでない場合は動画表示処理を終了する。
【０１６０】
Ｓ８２２では、システム制御部５０は、設定されている接続モードをＨＤＲ接続モードからＳＤＲ接続モードに切り替える、ＳＤＲ接続モードでの接続のための外部接続処理（図５（Ｄ）で前述したＳＤＲ接続処理；再接続処理）を行う。続いて、Ｓ８１３に進み、操作パネルを外部機器３００に出力し、外部表示部３０１に表示させる。
【０１６１】
Ｓ８１４〜Ｓ８１８の処理は、前述のＳ８０４〜Ｓ８０８と同様であるので説明を省略する。ただし、映像の出力先は表示部２８ではなく外部機器３００である。
【０１６２】
動画再生の操作パネルが出力されている状態で、Ｓ８１５で動画表示処理の終了指示が行われたと判定すると、Ｓ８２３に進む。
【０１６３】
Ｓ８２３では、システム制御部５０は、設定されている接続モードをＳＤＲ接続モードからＨＤＲ接続モードに切り替える、ＨＤＲ接続モードでの接続のための外部接続処理（図５（Ｃ）で前述したＨＤＲ接続処理；再接続処理）を行う。
【０１６４】
このように、ＨＤＲ接続モードで映像を出力している場合は、画像切替操作をして動画が選択されると、画像切替操作後に最初に表示される動画の代表画像として、Ｓ６１８で疑似ＨＤＲ変換されたものがＨＤＲ接続モードのまま出力される。そして、動画を再生することなく次の画像へ切り替えた場合、接続モードの切り替え処理を発生させずに次の画像を表示できる。したがって、ユーザーが画像切替操作を連続して行っている画像送り（または画像戻し）の状態では接続モードの切り替えは発生しないので、ユーザーは快適な速度で画像切替を連続して行うことができる。一方、疑似ＨＤＲ変換した動画の代表画像が表示されている状態で、動画の再生指示や、操作パネルの表示指示が行われた場合は、ユーザーは表示されている動画に興味を持って視聴しようとした場合であると想定される。この場合は、接続モードをＨＤＲ接続モードからＳＤＲ接続モードに切り替えて（再接続して）動画を表示する。このようにすることで、再接続の処理時間はかかるものの、ＳＤＲ画質で記録されている動画を変換（疑似ＨＤＲ変換）することなく表示できるので、記録された通りの正確な色味で動画を視聴することができる。動画の視聴が終了すると、Ｓ８２３で自動的に元のＨＤＲ接続モードに戻す。
【０１６５】
＜疑似ＨＤＲ変換処理＞
図９（Ａ）は、疑似ＨＤＲ変換処理（図６のＳ６０３、Ｓ６１３、Ｓ６１５、及び、Ｓ６１７）の詳細を示すフローチャートである。この処理は、不揮発性メモリ５６に記録されたプログラムをシステムメモリ５２に展開してシステム制御部５０が実行することで実現する。疑似ＨＤＲ変換処理では、画像の階調分解能が高められると共に、画像の階調特性（階調値と輝度の対応関係）が変換される。本実施形態では、疑似ＨＤＲ変換処理により、ＹＣＣ４２２（ＢＴ．６０１，ＢＴ．６０１）のＳＤＲ画像（例えばＪＰＥＧ画像）をＹＣＣ４２２（ＳＴ．２０８４，ＢＴ．２０２０）の疑似ＨＤＲ画像に変換する例を説明する。ここで、ＹＣＣ（ＢＴ．６０１，ＢＴ．６０１）は、色空間（階調特性，階調分解能）＝ＹＣＣ４２２（ＢＴ．６０１で規定された階調特性，ＢＴ．６０１で規定された階調分解能）を意味する。同様に、ＹＣＣ４２２（ＳＴ．２０８４，ＢＴ．２０２０）は、ＹＣＣ４２２（ＳＴ．２０８４で規定された階調特性，ＢＴ．２０２０で規定された階調分解能）を意味する。以下で述べる他の記載についても、同様の解釈方法が適用される。
【０１６６】
Ｓ９０１では、システム制御部５０は、メモリ３２に書き込まれたＹＣＣ４２２（ＢＴ．６０１，ＢＴ．６０１）のＳＤＲ画像の色空間を、ＲＧＢに変換する。これにより、ＹＣＣ４２２（ＢＴ．６０１，ＢＴ．６０１）のＳＤＲ画像が、ＲＧＢ（ＢＴ．６０１，ＢＴ．６０１）の画像に変換される。
【０１６７】
Ｓ９０２では、システム制御部５０は、Ｓ９０１で得られたＲＧＢ（ＢＴ．６０１，ＢＴ．６０１）の画像の階調特性を、階調値の増加に対して輝度が線形に増加する線形特性に変換する（所定のγカーブを用いたγ変換）。これにより、ＲＧＢ（ＢＴ．６０１，ＢＴ．６０１）の画像が、ＲＧＢ（線形特性，ＢＴ．６０１）の画像に変換される。
【０１６８】
Ｓ９０３では、システム制御部５０は、Ｓ９０２で得られたＲＧＢ（線形特性，ＢＴ．６０１）の画像の階調分解能を、ＢＴ．２０２０で規定された階調分解能に変換する（ＣＧ変換）。これにより、ＲＧＢ（線形特性，ＢＴ．６０１）の画像が、ＲＧＢ（線形特性，ＢＴ．２０２０）の画像に変換される。ＢＴ．６０１の階調分解能からＢＴ．２０２０の階調分解能に画像の階調分解能が高められると、画像の色域（表現可能な色のレンジ）が広がる。
【０１６９】
Ｓ９０４では、システム制御部５０は、Ｓ９０３で得られたＲＧＢ（線形特性，ＢＴ．２０２０）の画像の階調特性を、ＳＴ．２０８４で規定された階調特性に変換する（図９（Ｂ）のγカーブを用いたγ変換）。これにより、ＲＧＢ（線形特性，ＢＴ．２０２０）の画像が、ＲＧＢ（ＳＴ．２０８４，ＢＴ．２０２０）の画像に変換される。ＳＴ．２０８４で規定された階調特性は、ＰＱ（Ｐｅｒｃｅｐｔｕａｌ  Ｑｕａｎｔｉｚａｔｉｏｎ）などと呼ばれる。
【０１７０】
Ｓ９０５では、システム制御部５０は、Ｓ９０４で得られたＲＧＢ（ＳＴ．２０８４，ＢＴ．２０２０）の画像の色空間を、ＹＣＣ４２２に変換する。これにより、ＲＧＢ（ＳＴ．２０８４，ＢＴ．２０２０）の画像が、ＹＣＣ４２２（ＳＴ．２０８４，ＢＴ．２０２０）の疑似ＨＤＲ画像に変換される。
【０１７１】
＜図４〜９のまとめ＞
本実施形態によれば、ＨＤＲ接続モードでの接続がされていない場合に、表示に時間がかかる現像処理後の画像が表示されず、表示に時間がかからないＪＰＥＧ画像が表示される（図４のＳ４０６、Ｓ４０７、及び、Ｓ４０８）。ＨＤＲ接続モードでの接続がされている場合にも、表示に時間がかからない疑似ＨＤＲ画像が表示される（図６のＳ６０４、Ｓ６１６、及び、Ｓ６１８）。そして、表示に時間がかかる現像ＨＤＲ画像を表示する場合には、疑似ＨＤＲ画像が表示された後に、疑似ＨＤＲ画像に代えて現像ＨＤＲ画像が表示される（図６のＳ６０４とＳ６１１）。また、現像処理やＲＡＷ画像の読み込みなどの処理が完了する前に、次の画像への切替指示があると、当該処理が中断されて次の画像を表示するための処理が行われる（図６のＳ６０５、Ｓ６０７、及び、Ｓ６０９のＹｅｓ）。さらに、接続モードの切り替えは表示開始の遅延をまねくが、ＨＤＲ接続モードでの接続を継続（維持）したまま、ＪＰＥＧ画像が疑似ＨＤＲ画像に変換されて表示される（図６のＳ６１６とＳ６１８）。これらにより、種々の画像が好適に表示可能となる。例えば、種々の画像を、時間をかけずに表示したり、接続モードの切り替え無しで表示したりできる。そのため、ユーザーは好適（快適）な画像鑑賞を行うことができる。
【０１７２】
さらに、図１３に示すように、ＨＤＲ表示の再生画面１０３０などから、明るい白色がよく使われるメニュー画面１１００などに切り替える指示があると、ＳＤＲ接続モードへの切り替えが行われる（図６のＳ６２４）。それにより、明るい白色がよく使われる画面のギラつきを抑制して、各画面を好適な接続モードで表示できる。
【０１７３】
また、接続モードの切り替えは表示開始の遅延をまねく。そのため、メニュー項目の１つの画面であるプロテクト設定切替画面１１２０などの場合は、画面にＨＤＲ画質で表示可能な撮影画像（対応ＲＡＷ画像ファイルの画像）が含まれていても、ＨＤＲ接続モードへの切り替えが行われずに、当該画面が表示される。これにより、操作の流れの中で、接
続モードの切り替えによる待ち時間の発生を抑制できる。
【０１７４】
また、撮影時にＨＤＲ表示が行われると、表示画像と撮像画像が異なる可能性がある。そのため、図１３に示すように、ＨＤＲ表示の再生画面１０３０などから撮影待機画面１３００などに切り替える指示があると、ＳＤＲ接続モードへの切り替えが行われる（図６のＳ６２９）。これにより、表示画像を撮像画像に一致させることができ、使い勝手が向上する。そして、撮影確認画面１３１０の表示もＳＤＲ表示であるため、接続モードの切り替えによる待ち時間の発生を抑制でき、ユーザーは撮影結果の確認や次の撮影などを快適に行うことができる。
【０１７５】
ＨＤＲ表示の再生画面１０３０と、画面１１００，１１２０，１３００，１３１０との間の切り替えが行われる度に、接続モードの切り替えが行われる。なお、設定されている接続モードの切り替えが行われる際に、設定されている接続モードが切り替わる旨のアイテム（メッセージなど）を含む画面が表示されてもよい。
【０１７６】
なお、撮像画像を出力したり表示したりする例を説明したが、コンピューターグラフィックなどであってもよい。また、ＳＤＲ接続モードおよびＨＤＲ接続モードとは異なる接続モードが設定可能であってもよい。ＳＤＲ接続モードで出力される画像はＪＰＥＧ画像でなくてもよいし、その階調分解能は８ｂｉｔの階調分解能でなくてもよい。例えば、８ｂｉｔの階調分解能以下の階調分解能を有する画像がＳＤＲ接続モードで出力されてもよい。ＨＤＲ接続モードで出力される画像の階調分解能は１０ｂｉｔや１２ｂｉｔでなくてもよい。ＨＤＲ生成処理は、現像処理以外の処理を含んでもいてもよいし、現像処理を含んでいなくてもよい。ＨＤＲ生成処理が施される画像の種別はＲＡＷでなくてもよい。所望の階調分解能と所望の階調特性を有する画像が得られれば、疑似ＨＤＲ変換処理は特に限定されない。例えば、疑似ＨＤＲ変換処理は色空間の変換を含まなくてもよい。ＨＬＧ（Ｈｙｂｒｉｄ  Ｌｏｇ  Ｇａｍｍａ）と呼ばれる階調特性を有する疑似ＨＤＲ画像が得られてもよい。各種画面も上述したものに限られない。
【０１７７】
＜操作受付処理＞
図１４（Ａ）は、デジタルカメラ１００が外部機器３００に接続されていない場合の操作受付処理（図４のＳ４０９）の詳細を示すフローチャートである。この処理は、不揮発性メモリ５６に記録されたプログラムをシステムメモリ５２に展開してシステム制御部５０が実行することで実現する。
【０１７８】
Ｓ１４０１では、システム制御部５０は、インフォボタン７０ｇが押下されたか否かを判定する。インフォボタン７０ｇが押下されたと判定された場合はＳ１４０２に進み。そうでない場合は処理を終了する。Ｓ１４０２では、システム制御部５０は、撮影情報（撮影設定情報）を表示部２８に表示しているか否かを判定する。撮影情報を表示していると判定された場合はＳ１４０３に進み。そうでない場合はＳ１４０４に進む。Ｓ１４０３では、システム制御部５０は、輝度ヒストグラム（画像の輝度分布を示すヒストグラム）を表示部２８に表示しているか否かを判定する。輝度ヒストグラムを表示していると判定された場合はＳ１４０６に進み、そうでない場合はＳ１４０５に進む。Ｓ１４０４では、システム制御部５０は、撮影情報を表示部２８に表示する。Ｓ１４０５では、システム制御部５０は、輝度ヒストグラムを表示部２８に表示する。Ｓ１４０６では、システム制御部５０は、撮影情報と輝度ヒストグラムの表示を行わないように制御する。
【０１７９】
図１５（Ａ）は、インフォボタン７０ｇの押下による表示部２８の表示の遷移を示す。画像（対象画像）１５０１のみを含む画面１５００が表示部２８に表示されている状態でインフォボタン７０ｇが押下されると、図１４（Ａ）のＳ１４０４の処理により、画面１５００から画面１５１０に表示部２８の表示が遷移する。画面１５１０では、画像１５０
１の上部と下部に画像１５０１の撮影情報１５１１と撮影情報１５１２がそれぞれ重ねられている。画面１５１０が表示部２８に表示されている状態でインフォボタン７０ｇが押下されると、図１４（Ａ）のＳ１４０５の処理により、画面１５１０から画面１５２０に表示部２８の表示が遷移する。画面１５２０は、画像１５０１を縮小した画像１５２１、画像１５０１の輝度ヒストグラム１５２２、及び、画像１５０１の撮影情報１５２３を含む。画面１５２０が表示部２８に表示されている状態でインフォボタン７０ｇが押下されると、図１４（Ａ）のＳ１４０６の処理により、画面１５２０から画面１５００に表示部２８の表示が遷移する。
【０１８０】
なお、画面１５１０の撮影情報１５１２と画面１５２０の撮影情報１５２３とで、表示される情報表示アイテム（情報表示の項目）の種類やサイズが異なっているものとする。例えば、撮影情報１５２３は、露出補正の情報１５２４、ホワイトバランス設定の情報１５２５、ホワイトバランス設定を補正する設定情報１５２６、及び、画像のシャープネスやコントラストを設定するピクチャースタイル設定の情報１５２７を含んでいる。これらの情報は、撮影情報１５１２には含まれていない。他の設定項目の設定内容、画像のＲＧＢ値の分布を示すヒストグラム、画像の色空間の設定情報、等が画面に含まれていてもよい。
【０１８１】
ＳＤＲ接続モードでの接続がされている場合の操作受付処理でも、図１４（Ａ）と同様の処理が行われる。但し、図１４（Ａ）の説明における「表示部２８」を「外部表示部３０１」に読み替えた処理が行われる。
【０１８２】
図１４（Ｂ）は、ＨＤＲ接続モードでの接続がされている場合の操作受付処理（図６のＳ６１９）の詳細を示すフローチャートである。この処理は、不揮発性メモリ５６に記録されたプログラムをシステムメモリ５２に展開してシステム制御部５０が実行することで実現する。
【０１８３】
Ｓ１４１１では、システム制御部５０は、インフォボタン７０ｇが押下されたか否かを判定する。インフォボタン７０ｇが押下されたと判定された場合はＳ１４１２に進み。そうでない場合は処理を終了する。Ｓ１４１２では、システム制御部５０は、撮影情報を外部機器３００に出力しているか否かを判定する。撮影情報を出力していると判定された場合はＳ１４１４に進み。そうでない場合はＳ１４１３に進む。Ｓ１４１３では、システム制御部５０は、撮影情報を外部機器３００に出力して表示する。Ｓ１４１４では、システム制御部５０は、撮影情報の出力を行わないように制御する。
【０１８４】
図１５（Ｂ）は、インフォボタン７０ｇの押下による外部表示部３０１の表示の遷移を示す。画像１５３１のみを含む画面１５３０が外部表示部３０１に表示されている状態でインフォボタン７０ｇが押下されると、図１４（Ｂ）のＳ１４１３の処理により、画面１５３０から画面１５４０に外部表示部３０１の表示が遷移する。画面１５４０では、画像１５３１の上部と下部に画像１５３１の撮影情報１５４１と撮影情報１５４２がそれぞれ重ねられている。また、ＨＤＲ表示（ＨＤＲ接続モードでの接続）が行われていることを表すアイコン１５４３が表示されている。画面１５４０が外部表示部３０１に表示されている状態でインフォボタン７０ｇが押下されると、図１４（Ｂ）のＳ１４１４の処理により、画面１５４０から画面１５３０に外部表示部３０１の表示が遷移する。
【０１８５】
このように、ＨＤＲ接続モードでの接続が行われている場合には、システム制御部５０は、画面１５２０のような輝度ヒストグラムを表示し、画像を縮小して画像以外が占める面積の大きい画面である所定の画面に遷移しないように画面遷移の制御を行う。これによって、ＨＤＲ接続モードでの接続がされている場合に、輝度ヒストグラムは表示されない。前述したとおり、デジタルカメラ１００の本体モニタである表示部２８では、対応ＲＡ
Ｗ画像であってもＲＡＷ画像ファイルに含まれる表示用ＪＰＥＧがＳＤＲ画質で表示される。この時表示されるヒストグラムは、表示部２８に表示されたＳＤＲ画質の画像に基づいて算出される。一方、同じ対応ＲＡＷ画像をＨＤＲ現像処理してＨＤＲ画質で表示している際に、本体モニタの場合と同じヒストグラムを表示してしまうと、ユーザーが外部表示部３０１で見ている映像とヒストグラムは正確には一致しなくなる。これは、本体モニタの場合のヒストグラムは、表示されているＨＤＲ画質の映像に基づいて算出されたヒストグラムではないからである。一例として、本体モニタでは空の白い部分が飽和しており、ヒストグラムでは輝度の最大値が多いヒストグラムとなっている場合を考える。この場合でも、外部表示部３０１でＨＤＲ表示した場合には、空の白い部分について飽和する部分が少なく、本体モニタよりも階調豊かに表示される場合がある。この場合、輝度の最大値が多いヒストグラムは外部表示部３０１での画像の見た目と正確に一致しなくなるため、ユーザーに違和感を与える。逆に、同じ対応ＲＡＷ画像をＨＤＲ現像処理したＨＤＲ画質の画像に基づいてヒストグラムを算出して表示すると、同じ画像についてのヒストグラムであるのに、本体モニタで見た場合と外部表示部３０１で見た場合とでヒストグラムが違うものになってしまう。そのため、やはり、ユーザーに違和感を与える。そこで、本実施形態のように、ＨＤＲ接続モードで出力している際にヒストグラムを表示しないようにすれば、ユーザーがＨＤＲ画質での映像を見ながらヒストグラム情報を参照することはない。従って、ユーザーの違和感、露出などに対するユーザの誤判断、ユーザによる誤った撮影設定、等を抑制でき、ユーザーの認識とは異なる画像の撮影などを抑制できる。
【０１８６】
また、画像を縮小して画像以外が占める面積（例えば単色の白色などで表示される可能性のある面積）の大きい画面への遷移も抑制されているため、単色の白色表示などによる画面のギラつきを抑制できる。
【０１８７】
なお、ＨＤＲ接続モードでの接続が行われている場合には、画面１５２０のような詳細な撮影情報を表示する画面に遷移してもよい。しかし、ＳＤＲ表示とＨＤＲ表示とでの画像の見えの差に関係のある情報（輝度、階調、色味の少なくとも１つに関する情報表示アイテム）は表示されないことが好ましい。例えば、露出補正の情報、ホワイトバランス設定の情報、ホワイトバランス設定を補正する設定情報、画像のシャープネスやコントラストを設定するピクチャースタイル設定の情報は表示されないことが好ましい。また、画像のＲＧＢ値の分布を示すヒストグラム、画像の色空間の設定情報、等も表示されないことが好ましい。
【０１８８】
また、画面１５４０から画面１５３０への遷移の際に、システム制御部５０は、輝度ヒストグラムを表示する画面に遷移できないことを示すガイダンス１５５１を含む画面１５５０を外部機器３００に一時的に出力して表示してもよい（図１５（Ｃ））。さらに、システム制御部５０は、ガイダンス１５５１の画面１５５０を出力した後に、ＨＤＲ接続モードを解除してＳＤＲ接続モードを設定するか否かのガイダンスを含む画面を外部機器３００に出力して表示してもよい。ＨＤＲ接続モードを解除する指示があった場合は、システム制御部５０は、設定されている接続モードをＨＤＲ接続モードからＳＤＲ接続モードに切り替え、ＳＤＲ接続処理を行う。ＳＤＲ接続モードが設定されることで、画面１５２０のような画面に遷移できるようになる。また、所定の閾値以上の輝度情報を持つ画像領域を点滅表示などで強調する処理（ハイライト警告表示）を行える場合は、画像１５３１を表示している状態において、当該処理を行わないようにしてもよい。
【０１８９】
＜スライドショー処理＞
図１６（Ａ）は、スライドショー処理（図７のＳ７１４）の詳細を示すフローチャートである。この処理は、不揮発性メモリ５６に記録されたプログラムをシステムメモリ５２に展開してシステム制御部５０が実行することで実現する。
【０１９０】
Ｓ１６０１では、システム制御部５０は、ＨＤＲ接続モードフラグが１に設定されているか否かを判定する。設定されている場合はＳ１６０２に進み、そうでない場合はＳ１６０３に進む。Ｓ１６０２では、システム制御部５０は、Ｓ５０１と同様に、外部機器３００がＨＤＲに対応しているか否かを判定する。対応していると判定された場合はＳ１６０４に進み、そうでない場合はＳ１６０３に進む。Ｓ１６０３では、システム制御部５０は、図１６（Ｂ）のスライドショー処理を実行する。Ｓ１６０４では、システム制御部５０は、図１７のスライドショー処理を実行する。
【０１９１】
図１６（Ｂ）は、図１６（Ａ）のＳ１６０３で行われるスライドショー処理の詳細を示すフローチャートである。この処理は、不揮発性メモリ５６に記録されたプログラムをシステムメモリ５２に展開してシステム制御部５０が実行することで実現する。なお、図１６（Ｂ）のスライドショー処理における各種画面は、デジタルカメラ１００が外部機器３００に接続されていない場合には表示部２８に、ＳＤＲ接続モードでの接続がされている場合には外部表示部３０１に表示される。
【０１９２】
Ｓ１６１１では、システム制御部５０は、図１８（Ａ）に示すスライドショー開始準備画面１８００を表示する。
【０１９３】
Ｓ１６１２では、システム制御部５０は、スライドショー処理で最初に表示する画像のファイルから、当該画像の情報（メタデータ、ファイル名、等）を取得する。
【０１９４】
Ｓ１６１３では、システム制御部５０は、スライドショー開始準備画面を非表示にする。
【０１９５】
Ｓ１６１４では、システム制御部５０は、表示対象の画像を表示する。Ｓ１６１４の処理は、表示対象が静止画ファイルの画像である場合は、図４のＳ４０４〜Ｓ４０７の処理と同様である。表示対象が動画である場合は図８のＳ８０７と同様の処理である。なお、図４などの説明では省略したが、画像を表示する際に、システム制御部５０は、表示する画像（画像データ）を記録媒体２００から読み込みんでメモリ３２へ展開する。そして、システム制御部５０は、展開した画像のフォーマット・サイズを表示部２８や外部表示部３０１で表示できるフォーマット・サイズに画像処理部２４でデコード・リサイズする。処理された画像はメモリ３２に格納される。
【０１９６】
Ｓ１６１５では、システム制御部５０は、Ｓ１６１４の画像表示からスライドショーの１枚当たりの表示時間として予め設定された所定時間（切替間隔）が経過したか否かを判定する。所定時間が経過したと判定された場合はＳ１６１６に進み、そうでない場合はＳ１６１７に進む。なお、表示対象が動画である場合には、Ｓ１６１５の処理は所定時間が経過したか否かではなく、動画を終端まで再生したか、または画像の切り替え操作が行われたかの判定となる。何れかが真となるとＳ１６１６に進み、そうでない場合にはＳ１６１７に進む。
【０１９７】
Ｓ１６１６では、システム制御部５０は、次に表示する画像のファイルから、当該画像の情報（メタデータ、ファイル名、等）を取得する。
【０１９８】
Ｓ１６１７では、システム制御部５０は、スライドショー処理を終了するか否かを判定する。システム制御部５０は、ユーザーによりスライドショー終了の指示がされた場合、スライドショー処理で再生対象とされる全ての画像の表示が完了した場合、等において、スライドショー処理を終了すると判定し、それらでない場合に終了しないと判定する。スライドショー処理を終了すると判定された場合はスライドショー処理を終了し、そうでない場合はＳ１６１５に進む。
【０１９９】
図１７は、図１６（Ａ）のＳ１６０４で行われるスライドショー処理の詳細を示すフローチャートである。この処理は、不揮発性メモリ５６に記録されたプログラムをシステムメモリ５２に展開してシステム制御部５０が実行することで実現する。
【０２００】
Ｓ１７０１では、システム制御部５０は、ＳＤＲ接続モードフラグを１に設定する。ＳＤＲ接続モードフラグは、ＳＤＲ接続モードの設定が一時的なものであるか否かを示す。
【０２０１】
Ｓ１７０２では、システム制御部５０は、スライドショー開始準備画面を、出力Ｉ／Ｆ９１を介して外部機器３００に出力する。これにより、図１８（Ａ）に示すように、スライドショー開始準備画面１８００が外部表示部３０１に表示される。
【０２０２】
Ｓ１７０４では、システム制御部５０は、スライドショー処理で最初に出力する画像のファイルから、当該画像の情報（メタデータ、ファイル名、等）を取得する。
【０２０３】
Ｓ１７０５では、システム制御部５０は、Ｓ１７０４や後述のＳ１７２８で取得した情報（出力する画像のメタデータ、ファイル名、等）から、出力する画像が動画であるか否かを判定する。動画である場合はＳ１７０６に進み、そうでない場合はＳ１７１５に進む。
【０２０４】
Ｓ１７０６では、システム制御部５０は、ＳＤＲ接続モードフラグが０に設定されているか否かを判定する。０に設定されている場合はＳ１７０７に進み、そうでない場合はＳ１７１１に進む。
【０２０５】
Ｓ１７０７では、システム制御部５０は、設定されている接続モードをＨＤＲ接続モードからＳＤＲ接続モードに切り替える、図５（Ｄ）で前述したＳＤＲ接続処理を行う。Ｓ１７０８では、システム制御部５０は、ＳＤＲ接続モードフラグを１に設定する。
【０２０６】
Ｓ１７０９では、システム制御部５０は、出力する動画を記録媒体２００から読み出し、当該動画の先頭フレーム（停止映像）を外部機器３００に出力して表示する。
【０２０７】
Ｓ１７１０では、システム制御部５０は、先頭フレームを出力してから所定時間（ＳＤＲ接続処理に要すると想定される時間よりも長い時間であり、５秒程度以上）が経過したか否かを判定する。ここでの所定時間は、前述の切替間隔（スライドショーの１枚当たりの表示時間として予め設定された時間）とは無関係の時間であり、前述の切り替え時間とは別に独立して設定された時間である。また、ここでの所定時間は、少なくとも動画の進行映像を出力する場合のフレームレートの１フレーム分の時間（３０ｆｐｓであれば１／３０秒）よりも長い。また、少なくとも、０．３秒以上である。所定時間が経過したと判定された場合はＳ１７１１に進み、そうでない場合はＳ１７１０に進む。なお、複数の動画の出力が連続する場合には、２つ目以降の動画についてはＳ１７０６でＮｏと判定されるため、Ｓ１７０９の処理（停止映像の出力）とＳ１７１０の処理（所定時間の待機）とは省略される。
【０２０８】
Ｓ１７１１では、システム制御部５０は、先頭フレームからの動画再生処理を行う。これにより、動画の進行映像が外部機器３００に出力されて表示される。
【０２０９】
Ｓ１７１２では、システム制御部５０は、ユーザーにより画像切替操作が行われたか否かを判定する。画像切替操作が行われたと判定された場合はＳ１７１３に進み、そうでない場合はＳ１７１４に進む。
【０２１０】
Ｓ１７１３では、システム制御部５０は、動画再生の停止処理を行う。
【０２１１】
Ｓ１７１４では、システム制御部５０は、動画が最後まで（終端まで）再生されたか否かを判定する。最後まで再生されたと判定された場合はＳ１７２８に進み、そうでない場合はＳ１７１２に進む。
【０２１２】
一方、出力する画像が静止画である場合には、Ｓ１７１５で、システム制御部５０は、ＳＤＲ接続モードフラグが１に設定されているか否かを判定する。設定されている場合はＳ１７１６に進み、そうでない場合はＳ１７１８に進む。
【０２１３】
Ｓ１７１６では、システム制御部５０は、設定されている接続モードをＳＤＲ接続モードからＨＤＲ接続モードに切り替える、図５（Ｃ）で前述したＨＤＲ接続処理を行う。Ｓ１７１７では、システム制御部５０は、ＳＤＲ接続モードフラグを０に設定する。
【０２１４】
Ｓ１７１８では、システム制御部５０は、Ｓ１７０４や後述のＳ１７２８で取得した情報（出力する画像のメタデータ、ファイル名、等）から、出力する画像が対応ＲＡＷ画像か否かを判定する。対応ＲＡＷ画像と判定された場合はＳ１７１９に進み、そうでない場合はＳ１７２２に進む。
【０２１５】
Ｓ１７１９では、システム制御部５０は、出力する対応ＲＡＷ画像を、記録媒体２００から読み込み、メモリ３２に展開する。Ｓ１７２０では、システム制御部５０は、Ｓ１７１９でメモリ３２に展開された対応ＲＡＷ画像から現像ＨＤＲ画像を生成するＨＤＲ現像処理を行う。Ｓ１７２１では、システム制御部５０は、Ｓ１７２０で生成された現像ＨＤＲ画像を外部機器３００に出力して表示する。
【０２１６】
Ｓ１７２２では、システム制御部５０は、Ｓ１７０４や後述のＳ１７２８で取得した情報（出力する画像のメタデータ、ファイル名、等）から、出力する画像が非対応ＲＡＷ画像か否かを判定する。非対応ＲＡＷ画像と判定された場合はＳ１７２３に進み、そうでない場合はＳ１７２４に進む。
【０２１７】
Ｓ１７２３では、システム制御部５０は、出力する非対応ＲＡＷ画像に関連付けられて記録された表示用ＪＰＥＧ画像を疑似ＨＤＲ画像に変換する。Ｓ１７２４では、システム制御部５０は、出力するＪＰＥＧ画像を疑似ＨＤＲ画像に変換する（図９（Ａ）で前述した処理）。Ｓ１７２４のＪＰＥＧ画像は、ＲＡＷファイルに含まれた表示用ＪＰＥＧ画像ではなく、独立したＪＰＥＧファイルの画像である。Ｓ１７２５では、システム制御部５０は、Ｓ１７２３またはＳ１７２４で生成された疑似ＨＤＲ画像を外部機器３００に出力して表示する。
【０２１８】
Ｓ１７２６では、システム制御部５０は、Ｓ１７２１またはＳ１７２５で画像を出力してから所定時間（スライドショー１枚当たりの表示時間として予め設定された切替間隔）が経過したか否かを判定する。所定時間が経過したと判定された場合はＳ１７２８に進み、そうでない場合はＳ１７２７に進む。Ｓ１７２６の所定時間は、Ｓ１７１０の所定時間と異なっていてもよいし、同じであってもよい。
【０２１９】
Ｓ１７２７では、システム制御部５０は、ユーザーにより画像切替操作が行われたか否かを判定する。画像切替操作が行われたと判定された場合はＳ１７２８に進み、そうでない場合はＳ１７２９に進む。
【０２２０】
Ｓ１７２８では、システム制御部５０は、次に出力する画像のファイルから、当該画像の情報（メタデータ、ファイル名、等）を取得する。
【０２２１】
Ｓ１７２９では、システム制御部５０は、スライドショー処理を終了するか否かを判定する。スライドショー処理を終了すると判定された場合はスライドショー処理を終了し、そうでない場合はＳ１７２６に進む。
【０２２２】
図１８（Ａ）は、図１７のスライドショー処理における画面の遷移例を示す。
【０２２３】
まず、図１７のＳ１７０２の処理により、スライドショー開始準備画面１８００が外部表示部３０１に表示される。スライドショー開始準備画面１８００が表示されている間に、Ｓ１７０４の情報取得が行われる。
【０２２４】
最初の出力画像が、対応ＲＡＷ画像、非対応ＲＡＷ画像、及び、ＪＰＥＧ画像のいずれかである場合には、ＨＤＲ接続モードでの接続に切り替えられる。そして、Ｓ１７２１またはＳ１７２５の処理により、それら画像のいずれかの画面１８１０がＨＤＲ接続モードで外部表示部３０１に表示される（ＨＤＲ表示）。このとき、ＳＤＲ接続モードフラグは０である。この状態で、画像切替操作または所定時間の経過により次の画像に切り替わり、次の画像が動画であった場合は、Ｓ１７０７でＳＤＲ接続処理が行われることになる。
【０２２５】
Ｓ１７０７のＳＤＲ接続処理中には、接続モードの切り替え途中の表示が見えないように、画像の出力が停止され、外部表示部３０１の表示画面が画面１８１０から画面１８２０に遷移する。
【０２２６】
ここで、Ｓ１７１１の動画再生処理（進行映像の出力）が直ちに行われる場合を考える。この場合には、外部表示部３０１が表示を行うための準備が完了する前に、進行映像がデジタルカメラ１００から出力されることがある。準備が完了する前に進行映像が出力されると、動画の冒頭部分が外部表示部３０１に表示されず、画面１８３０に示すように動画の途中から外部表示部３０１に表示されるため、ユーザーが冒頭部分を見ることができない。
【０２２７】
そこで、本実施形態では、デジタルカメラ１００は、ＳＤＲ接続処理後に、動画の先頭フレーム（停止映像）を出力し、所定時間が経過した後に動画再生処理を開始する。これにより、画面１８４０に示すように、ユーザーに動画を冒頭から見せることができる。画面１８４０は、停止映像の画面である。画面１８４０には、所定時間経過後に自動的に動画再生処理が行われる旨を示すアイテム１８４１が含まれている。
【０２２８】
なお、動画の再生開始を指示するためのアイテム（図１８（Ｂ）のアイテム１８５２）を停止映像の画面に含めると、ユーザーは、何か操作を行わなければ進行映像が表示されないと誤解する虞がある。そのため、そのようなアイテムは停止映像の画面に含まれていないことが好ましい。
【０２２９】
但し、外部表示部３０１が表示を行うための準備が、動画再生処理が自動的に行われる前に完了することがある。そのため、システム制御部５０は、停止映像の出力から所定時間経過後までにあった所定のユーザー操作（動画再生指示など）に応じて、進行映像の出力を開始することが好ましい。これにより、ユーザーは、停止映像の出力から所定時間が経過するのを待たずに進行映像を見ることができるようになるため、使い勝手が向上する。
【０２３０】
＜図１６，１７のまとめ＞
本実施形態によれば、設定されている接続モードをＨＤＲ接続モードからＳＤＲ接続モードに切り替えて動画を再生する際に、当該切り替えの際に動画の停止映像が出力される
。そして、停止映像の出力開始から所定時間経過後に自動的に動画の進行映像が出力される。これにより、設定されている接続モードをＨＤＲ接続モードからＳＤＲ接続モードに切り替えて動画を再生する際に、外部表示部３０１が表示を行うための準備が完了する前に進行映像の出力が開始され動画の冒頭部分が表示されないという状況を回避できる。その結果、動画を冒頭部分からユーザーに鑑賞させることができる。このような動画の再生方法は、図８（Ｂ）の動画表示処理にも適用可能である。すなわち、図８（Ｂ）のＳ８２１の後に図１７のＳ１７０９、Ｓ１７１０の処理を行ってからＳ８１７の処理を行うものとしても良い。
【０２３１】
なお、ＳＤＲ接続モードとＨＤＲ接続モードの切り替えに限らず、他の要因による接続モードの切り替えの際に上述と同様の処理を行っても良い。例えば、動画の再生を開始する際に、画像サイズ（解像度）が異なる接続モード、フレームレートが異なる接続モードに接続し直す必要がある場合に、図１７のＳ１７０９、Ｓ１７１０の処理を行ってから動画の進行映像の出力を開始するようにしても良い。例えば、２ＫフルＨＤ画質の画像を出力する接続モードで接続していた場合に、４Ｋ画質（４Ｋ解像度、横４，０００×縦２，０００前後の画面解像度）の動画の再生が指示された場合に、４Ｋ画質用の接続モードに接続し直す処理を行うことが想定される。この場合に、図１７のＳ１７０９、Ｓ１７１０の処理を行ってから動画の進行映像の出力を開始すれば、４Ｋ画質での動画の冒頭部分を見逃すことを防止できる。同様に、フレームレートが２４ｐの映像を出力する接続モードで接続していた場合に、６０ｐで記録された動画の再生が指示された場合に、６０ｐ用の接続モードに接続し直す処理を行うことが想定される。この場合に、図１７のＳ１７０９、Ｓ１７１０の処理を行ってから動画の進行映像の出力を開始すれば、６０ｐでの動画の冒頭部分を見逃すことを防止できる。
【０２３２】
なお、システム制御部５０が行うものとして説明した上述の各種制御は、１つのハードウェアが行ってもよいし、複数のハードウェア（例えば、複数のプロセッサーや回路）が処理を分担することで、装置全体の制御を行ってもよい。
【０２３３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０２３４】
また、上述した実施形態においては、本発明をデジタルカメラ（撮像装置）に適用した場合を例にして説明したが、これはこの例に限定されず外部機器に画像を出力可能な電子機器であれば適用可能である。例えば、本発明は、パーソナルコンピュータやＰＤＡ、携帯電話端末や携帯型の画像ビューワ、プリンタ装置、デジタルフォトフレーム、音楽プレーヤー、ゲーム機、電子ブックリーダー、映像プレーヤー、表示装置（投影装置を含む）、タブレット端末、スマートフォン、家電装置や車載装置などに適用可能である。
【０２３５】
また、撮像装置本体に限らず、有線または無線通信を介して撮像装置（ネットワークカメラを含む）と通信し、撮像装置を遠隔で制御する制御装置にも本発明を適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。
【０２３６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０２３７】
１００：デジタルカメラ  ３００：外部機器
２８：表示部  ５０：システム制御部  ９１：出力Ｉ／Ｆ
【図１】
2019118058.tif 000003
【図２】
2019118058.tif 000004
【図３】
2019118058.tif 000005
【図４】
2019118058.tif 000006
【図５】
2019118058.tif 000007
【図６】
2019118058.tif 000008
【図７】
2019118058.tif 000009
【図８】
2019118058.tif 000010
【図９】
2019118058.tif 000011
【図１０】
2019118058.tif 000012
【図１１】
2019118058.tif 000013
【図１２】
2019118058.tif 000014
【図１３】
2019118058.tif 000015
【図１４】
2019118058.tif 000016
【図１５】
2019118058.tif 000017
【図１６】
2019118058.tif 000018
【図１７】
2019118058.tif 000019
【図１８】
2019118058.tif 000020